(57)【要約】【課題】車両毎の車載通信装置との間の無線通信の設定の周期的な実行を支援し、乗車予定の車両内の車載通信装置との間で無線通信の設定を可能とし、業務効率を支援する。【解決手段】ウェアラブルカメラは、ユーザの前方の被写体を撮像し、ユーザが乗車する車両に設置される車載通信装置との間で通信するための第１通信設定処理を実行し、第１通信設定処理に基づく、車載通信装置との間の通信に用いる第１通信設定情報をメモリに保存し、この第１通信設定情報を用いて、撮像された被写体の映像を車載通信装置に送信する。また、ウェアラブルカメラは、最終の通信時から一定時間の経過後、第１通信設定情報をメモリから削除する。【選択図】図５
2018101900.tif 000002
【特許請求の範囲】
【請求項１】
ユーザの装着又は所持が可能なウェアラブルカメラであって、
前記ユーザの前方の被写体を撮像する撮像部と、
前記ユーザが乗車する車両に設置される車載通信装置との間で通信するための第１通信設定処理を実行する第１通信設定部と、
前記第１通信設定処理に基づく、前記車載通信装置との間の通信に用いる第１通信設定情報を保存するメモリと、
前記メモリに保存された前記第１通信設定情報を用いて、撮像された前記被写体の映像を前記車載通信装置に送信する第１通信部と、
前記第１通信部における最終の通信時から一定時間の経過後、前記第１通信設定情報を前記メモリから削除する第１制御部と、を備える、
ウェアラブルカメラ。
【請求項２】
前記第１通信設定情報が保存されていない場合に、前記第１通信設定処理が行われていない旨を報知する報知部、を更に備える、
請求項１に記載のウェアラブルカメラ。
【請求項３】
前記報知部は、前記第１通信設定処理が行われていない旨を照明する照明部、前記第１通信設定処理が行われていない旨のパターンで振動する振動部、及び前記第１通信設定処理が行われていない旨を音声出力する音声出力部のうち少なくとも１つである、
請求項２に記載のウェアラブルカメラ。
【請求項４】
前記報知部は、前記第１通信部が前記車載通信装置から送信された信号を受信した場合に、前記第１通信設定処理が行われていない旨を報知する、
請求項２又は３に記載のウェアラブルカメラ。
【請求項５】
ユーザの装着又は所持が可能なウェアラブルカメラと、前記ユーザが乗車する車両に搭載される車載通信装置とが通信可能な通信システムであって、
前記ウェアラブルカメラは、
前記ユーザの前方の被写体を撮像し、
前記車載通信装置との間で通信するための第１通信設定処理を実行し、
前記第１通信設定処理に基づく、前記車載通信装置との間の通信に用いる第１通信設定情報を第１メモリに保存し、
前記第１メモリに保存された前記第１通信設定情報を用いて、撮像された前記被写体の映像を前記車載通信装置に送信し、
前記車載通信装置は、
前記ウェアラブルカメラとの間で通信するための第２通信設定処理を実行し、
前記第２通信設定処理に基づく、前記ウェアラブルカメラとの間の通信に用いる第２通信設定情報を第２メモリに保存し、
前記第２メモリに保存された前記第２通信設定情報を用いて、前記ウェアラブルカメラから送信された前記被写体の映像を受信して前記第２メモリに保存し、
前記ウェアラブルカメラは、
最終の通信時から一定時間の経過後、前記第１通信設定情報を前記第１メモリから削除する、
通信システム。
【請求項６】
前記ウェアラブルカメラは、前記第１通信設定処理の開始を指示する第１指示部、を更に有し、前記第１指示部に対する操作に応じて、前記車載通信装置との間で前記第１通信設定処理を開始し、
前記車載通信装置は、前記第２通信設定処理の開始を指示する第２指示部、を更に有し、前記第２指示部に対する操作に応じて、通信可能圏内を狭めて前記ウェアラブルカメラとの間で前記第２通信設定処理を開始する、
請求項５に記載の通信システム。
【請求項７】
前記ウェアラブルカメラは、前記車載通信装置と有線で接続されかつ前記ウェアラブルカメラを充電する充電装置に接続された場合に、前記充電装置を介して、有線通信によって前記車載通信装置との間で前記第１通信設定処理を開始し、
前記車載通信装置は、前記ウェアラブルカメラが前記充電装置に接続された場合に、前記充電装置を介して、前記有線通信によって前記ウェアラブルカメラとの間で前記第２通信設定処理を開始する、
請求項５に記載の通信システム。
【請求項８】
ユーザが乗車する車両に搭載され、前記ユーザの装着又は所持が可能なウェアラブルカメラとの間で通信可能な車載通信装置であって、
前記ウェアラブルカメラとの間で通信するための第２通信設定処理を実行する第２通信設定部と、
前記第２通信設定処理に基づく、前記ウェアラブルカメラとの間の第２通信設定情報を保存する第２メモリと、
前記第２メモリに保存された前記第２通信設定情報を用いて、前記ウェアラブルカメラとの間で通信を実行する第２通信部と、
前記第２通信設定処理の開始を指示する第２指示部と、を備え、
前記第２通信設定部は、前記第２指示部に対する操作に応じて、前記第２通信部における通信可能圏内を狭めて前記ウェアラブルカメラとの間で前記第２通信設定処理を開始する、
車載通信装置。
【請求項９】
ユーザが乗車する車両に搭載され、前記ユーザの装着又は所持が可能なウェアラブルカメラとの間で通信可能な車載通信装置であって、
前記ウェアラブルカメラとの間で通信するための第２通信設定処理を実行する第２通信設定部と、
前記第２通信設定処理に基づく、前記ウェアラブルカメラとの間の第２通信設定情報を保存する第２メモリと、
前記第２メモリに保存された前記第２通信設定情報を用いて、前記ウェアラブルカメラとの間で通信を実行する第２通信部と、を備え、
前記第２通信設定部は、前記車載通信装置と有線で接続されかつ前記ウェアラブルカメラを充電する充電装置に前記ウェアラブルカメラが接続された場合に、前記充電装置を介して、有線通信によって前記ウェアラブルカメラとの間で前記第２通信設定処理を開始する、
車載通信装置。
【請求項１０】
前記ウェアラブルカメラは、前記車載通信装置と有線で接続されかつ前記ウェアラブルカメラを充電する充電装置に接続された場合に、前記充電装置を介して、有線通信によって前記車載通信装置との間で前記第１通信設定処理を開始し、
前記車載通信装置は、前記ウェアラブルカメラが前記充電装置に接続された事を検知し、前記充電装置を介して、前記有線通信によって前記ウェアラブルカメラとの間で前記第２通信設定処理を開始する、
請求項５に記載の通信システム。
【請求項１１】
前記ウェアラブルカメラは、前記第１通信設定処理の開始を指示する第１指示部、を更に有し、前記第１指示部に対する操作の実行から所定時間の経過後、前記有線通信によって前記車載通信装置との間で前記第１通信設定処理を開始する、
請求項１０に記載の通信システム。
【請求項１２】
ユーザが乗車する車両に搭載され、前記ユーザの装着又は所持が可能なウェアラブルカメラとの間で通信可能な車載通信装置であって、
前記ウェアラブルカメラとの間で通信するための第２通信設定処理を実行する第２通信設定部と、
前記第２通信設定処理に基づく、前記ウェアラブルカメラとの間の第２通信設定情報を保存する第２メモリと、
前記第２メモリに保存された前記第２通信設定情報を用いて、前記ウェアラブルカメラとの間で通信を実行する第２通信部と、
前記車載通信装置と有線で接続されかつ前記ウェアラブルカメラを充電する充電装置に前記ウェアラブルカメラが接続された事を検知する検知部と、を備え、
前記第２通信設定部は、前記ウェアラブルカメラが前記充電装置に接続された事が前記検知部により検知された場合に、前記充電装置を介して、有線通信によって前記ウェアラブルカメラとの間で前記第２通信設定処理を開始する、
車載通信装置。
【請求項１３】
ユーザの装着又は所持が可能なウェアラブルカメラを充電する充電装置であって、
前記ユーザが乗車する車両に搭載される車載通信装置、又は外部バッテリとの接続を検知する第１接続検知部と、
前記ウェアラブルカメラのデータを編集する編集装置との接続を検知する第２接続検知部と、
前記車載通信装置又は前記外部バッテリとの接続が検知された場合に、前記車載通信装置又は前記外部バッテリからの第１供給電流に基づいて前記ウェアラブルカメラを充電し、更に、前記第１供給電流に基づいて前記ウェアラブルカメラを充電中である旨を第１報知部に報知する電源制御部と、
前記編集装置との接続が検知された場合に、前記ウェアラブルカメラのデータを前記編集装置において編集可能である旨を第２報知部に報知するデータ制御部と、を備える、
充電装置。
【請求項１４】
前記電源制御部は、前記車載通信装置又は前記外部バッテリとの接続、並びに前記編集装置との接続がいずれも検知された場合に、前記車載通信装置又は前記外部バッテリからの供給電流を優先して前記ウェアラブルカメラを充電する、
請求項１３に記載の充電装置。
【請求項１５】
ユーザの装着又は所持が可能なウェアラブルカメラと、前記ウェアラブルカメラを充電する充電装置とを含む通信システムであって、
前記ウェアラブルカメラは、
前記充電装置と接続された場合に、撮像映像のデータを前記充電装置に出力し、
前記充電装置は、
前記ユーザが乗車する車両に搭載される車載通信装置、又は外部バッテリとの接続を検知し、
前記ウェアラブルカメラから出力された前記撮像映像のデータを編集する編集装置との接続を検知し、
前記車載通信装置又は前記外部バッテリとの接続の検知に応じて、前記車載通信装置又は前記外部バッテリからの第１供給電流に基づいて前記ウェアラブルカメラを充電し、更に、前記第１供給電流に基づいて前記ウェアラブルカメラを充電中である旨を第１報知部に報知し、
前記編集装置との接続の検知に応じて、前記ウェアラブルカメラのデータを前記編集装置において編集可能である旨を第２報知部に報知する、
通信システム。 
【発明の詳細な説明】
【技術分野】
【０００１】
本開示は、ユーザに装着又は所持されるウェアラブルカメラと、ユーザが乗車する車両に載置されウェアラブルカメラとの間で通信する車載通信装置と、ウェアラブルカメラを充電する充電装置と、ウェアラブルカメラと車載通信装置又は充電装置とにより構成される通信システムとに関する。
【背景技術】
【０００２】
近年、警察官や警備員の業務を効率的に支援するために、例えば定常的なパトロール時又は緊急事態（例えば事件現場に急行する時）には警察官にウェアラブルカメラを装着又は所持させる運用が推進されている。以下、説明を分かり易くするために、警察官の業務を例示して説明するが、警察官ではなく警備員等のユーザの業務に適用しても構わない。
【０００３】
警察官はパトロール時又は緊急事態には警察車両（例えばパトロールカー（所謂、パトカー））に乗車する。それぞれの警察車両には、通常、１台以上の車載カメラを含む車載カメラシステムと、この車載カメラシステムとウェアラブルカメラとの間の無線通信を連携するための車載通信装置とが搭載されている。なお、車載カメラシステムは、例えば車載カメラと車載レコーダとにより構成され、車載カメラにより撮像された映像データ（例えばパトロール中の映像や、事件現場の状況映像）を車載レコーダに記録する。また、車載通信装置によってウェアラブルカメラと車載カメラシステムとの通信の連携が可能になれば、例えばウェアラブルカメラの映像撮影と車載レコーダの映像撮影とを自動的に同期して行うことが可能となり、事件現場における映像を多角的に記録可能となるため証拠性の向上となり、裁判に向けた証拠収集等において警察官の業務効率が向上する。
【０００４】
ここで、警察車両内で使用される車載ＰＣ（Personal Computer）を用いてウェアラブルカメラと車載カメラシステムとを連携する先行技術として、例えば特許文献１が提案されている。特許文献１では、ＰＣは、車載カメラシステムを操作するためのユーザのログインを認証すると、ユーザの識別情報を含むログイン情報を保存し、ユーザが車載カメラシステムにログイン中である場合、保存したログイン情報をウェアラブルカメラに転送してコピーさせる。これにより、ウェアラブルカメラにより撮像された映像と車載カメラシステムにより撮像された映像とそれらの映像を撮像したユーザとの関係性が明確に対応付けられる。
【先行技術文献】
【特許文献】
【０００５】
【特許文献１】特開２０１６−８５５８１号公報
【発明の概要】
【発明が解決しようとする課題】
【０００６】
例えば警察署では、警察官が乗車する警察車両は日々決まっている運用と毎日変わる運用の両方が存在する。どちらの運用が推進されるかは警察署のポリシや規模によって異なると推測される。例えば警察官が乗車する警察車両が毎日変わる運用が推進されている場合、警察官は警察車両を変える度に、ウェアラブルカメラと上述した車載通信装置との間の無線通信の設定を行う必要がある。
【０００７】
しかし、上述した特許文献１を含む従来技術では、警察官が前日に使用した警察車両とは異なる別の警察車両に乗車する際、その警察官が使用するウェアラブルカメラとその警察官が乗車する予定の警察車両内の車載通信装置との間の無線通信の設定の有無をそのウェアラブルカメラ又は車載通信装置において簡単に確認する術は提供されていない。また、警察署内の駐車場には多くの警察車両が駐車されており、警察官が駐車場に到着した時にはウェアラブルカメラが前日に使用した警察車両内の車載通信装置との間で無線通信の接続をしている可能性もある。この場合、警察官が使用するウェアラブルカメラとその警察官が乗車する警察車両内の車載通信装置との間の無線通信の連携ができておらず、例えば上述したウェアラブルカメラの映像撮影と車載レコーダの映像撮影とを自動的に連携して開始することができない等、警察官の業務に支障を来たすという課題がある。
【０００８】
本発明は、上述した従来の事情に鑑みて案出され、ユーザが乗車する車両毎に搭載される車載通信装置との間の無線通信の設定の周期的な実行を支援し、たとえユーザが乗車する車両を乗り換える場合でも、ユーザが乗車する予定の車両内の車載通信装置との間で無線通信の設定を可能とし、ユーザの業務を効率的に支援するウェアラブルカメラ及び通信システムを提供する事を目的としている。
【課題を解決するための手段】
【０００９】
本開示は、ユーザの装着又は所持が可能なウェアラブルカメラであって、前記ユーザの前方の被写体を撮像する撮像部と、前記ユーザが乗車する車両に設置される車載通信装置との間で通信するための第１通信設定処理を実行する第１通信設定部と、前記第１通信設定処理に基づく、前記車載通信装置との間の通信に用いる第１通信設定情報を保存するメモリと、前記メモリに保存された前記第１通信設定情報を用いて、撮像された前記被写体の映像を前記車載通信装置に送信する第１通信部と、前記第１通信部における最終の通信時から一定時間の経過後、前記第１通信設定情報を前記メモリから削除する第１制御部と、を備える、ウェアラブルカメラを提供する。
【００１０】
また、本開示は、ユーザの装着又は所持が可能なウェアラブルカメラと、前記ユーザが乗車する車両に搭載される車載通信装置とが通信可能な通信システムであって、前記ウェアラブルカメラは、前記ユーザの前方の被写体を撮像し、前記車載通信装置との間で通信するための第１通信設定処理を実行し、前記第１通信設定処理に基づく、前記車載通信装置との間の通信に用いる第１通信設定情報を第１メモリに保存し、前記第１メモリに保存された前記第１通信設定情報を用いて、撮像された前記被写体の映像を前記車載通信装置に送信し、前記車載通信装置は、前記ウェアラブルカメラとの間で通信するための第２通信設定処理を実行し、前記第２通信設定処理に基づく、前記ウェアラブルカメラとの間の通信に用いる第２通信設定情報を第２メモリに保存し、前記第２メモリに保存された前記第２通信設定情報を用いて、前記ウェアラブルカメラから送信された前記被写体の映像を受信して前記第２メモリに保存し、前記ウェアラブルカメラは、最終の通信時から一定時間の経過後、前記第１通信設定情報を前記第１メモリから削除する、通信システムを提供する。
【００１１】
また、本開示は、ユーザが乗車する車両に搭載され、前記ユーザの装着又は所持が可能なウェアラブルカメラとの間で通信可能な車載通信装置であって、前記ウェアラブルカメラとの間で通信するための第２通信設定処理を実行する第２通信設定部と、前記第２通信設定処理に基づく、前記ウェアラブルカメラとの間の第２通信設定情報を保存する第２メモリと、前記第２メモリに保存された前記第２通信設定情報を用いて、前記ウェアラブルカメラとの間で通信を実行する第２通信部と、前記第２通信設定処理の開始を指示する第２指示部と、を備え、前記第２通信設定部は、前記第２指示部に対する操作に応じて、前記第２通信部における通信可能圏内を狭めて前記ウェアラブルカメラとの間で前記第２通信設定処理を開始する、車載通信装置を提供する。
【００１２】
また、本開示は、ユーザが乗車する車両に搭載され、前記ユーザの装着又は所持が可能なウェアラブルカメラとの間で通信可能な車載通信装置であって、前記ウェアラブルカメラとの間で通信するための第２通信設定処理を実行する第２通信設定部と、前記第２通信設定処理に基づく、前記ウェアラブルカメラとの間の第２通信設定情報を保存する第２メモリと、前記第２メモリに保存された前記第２通信設定情報を用いて、前記ウェアラブルカメラとの間で通信を実行する第２通信部と、を備え、前記第２通信設定部は、前記車載通信装置と有線で接続されかつ前記ウェアラブルカメラを充電する充電装置に前記ウェアラブルカメラが接続された場合に、前記充電装置を介して、有線通信によって前記ウェアラブルカメラとの間で前記第２通信設定処理を開始する、車載通信装置を提供する。
【００１３】
また、本開示は、ユーザが乗車する車両に搭載され、前記ユーザの装着又は所持が可能なウェアラブルカメラとの間で通信可能な車載通信装置であって、前記ウェアラブルカメラとの間で通信するための第２通信設定処理を実行する第２通信設定部と、前記第２通信設定処理に基づく、前記ウェアラブルカメラとの間の第２通信設定情報を保存する第２メモリと、前記第２メモリに保存された前記第２通信設定情報を用いて、前記ウェアラブルカメラとの間で通信を実行する第２通信部と、前記車載通信装置と有線で接続されかつ前記ウェアラブルカメラを充電する充電装置に前記ウェアラブルカメラが接続された事を検知する検知部と、を備え、前記第２通信設定部は、前記ウェアラブルカメラが前記充電装置に接続された事が前記検知部により検知された場合に、前記充電装置を介して、有線通信によって前記ウェアラブルカメラとの間で前記第２通信設定処理を開始する、車載通信装置を提供する。
【００１４】
また、本開示は、ユーザの装着又は所持が可能なウェアラブルカメラを充電する充電装置であって、前記ユーザが乗車する車両に搭載される車載通信装置、又は外部バッテリとの接続を検知する第１接続検知部と、前記ウェアラブルカメラのデータを編集する編集装置との接続を検知する第２接続検知部と、前記車載通信装置又は前記外部バッテリとの接続が検知された場合に、前記車載通信装置又は前記外部バッテリからの第１供給電流に基づいて前記ウェアラブルカメラを充電し、更に、前記第１供給電流に基づいて前記ウェアラブルカメラを充電中である旨を第１報知部に報知する電源制御部と、前記編集装置との接続が検知された場合に、前記ウェアラブルカメラのデータを前記編集装置において編集可能である旨を第２報知部に報知するデータ制御部と、を備える、充電装置を提供する。
【００１５】
また、本開示は、ユーザの装着又は所持が可能なウェアラブルカメラと、前記ウェアラブルカメラを充電する充電装置とを含む通信システムであって、前記ウェアラブルカメラは、前記充電装置と接続された場合に、撮像映像のデータを前記充電装置に出力し、前記充電装置は、前記ユーザが乗車する車両に搭載される車載通信装置、又は外部バッテリとの接続を検知し、前記ウェアラブルカメラから出力された前記撮像映像のデータを編集する編集装置との接続を検知し、前記車載通信装置又は前記外部バッテリとの接続の検知に応じて、前記車載通信装置又は前記外部バッテリからの第１供給電流に基づいて前記ウェアラブルカメラを充電し、更に、前記第１供給電流に基づいて前記ウェアラブルカメラを充電中である旨を第１報知部に報知し、前記編集装置との接続の検知に応じて、前記ウェアラブルカメラのデータを前記編集装置において編集可能である旨を第２報知部に報知する、通信システムを提供する。
【発明の効果】
【００１６】
本発明によれば、ユーザが乗車する車両毎に搭載される車載通信装置との間の無線通信の設定の周期的な実行を支援でき、たとえユーザが乗車する車両を乗り換える場合でも、ユーザが乗車する予定の車両内の車載通信装置との間で無線通信の設定を可能となり、ユーザの業務を効率的に支援できる。
【図面の簡単な説明】
【００１７】
【図１】各実施の形態の通信システムのシステム構成の一例を示す概要説明図
【図２】各実施の形態のウェアラブルカメラを装着した警察官の上半身の一例を示す図
【図３】各実施の形態のウェアラブルカメラの筐体の表側の面の一例を示す正面図
【図４】各実施の形態のウェアラブルカメラの内部構成の一例を詳細に示すブロック図
【図５】実施の形態１におけるウェアラブルカメラとコモントリガーボックスとの間の通信の動作概要の一例を示す説明図
【図６】実施の形態１におけるウェアラブルカメラの動作手順の一例を詳細に示すフローチャート
【図７Ａ】各実施の形態におけるウェアラブルカメラがＢＬＥ通信する場合に登録するペアリング情報の一例を示す図
【図７Ｂ】各実施の形態におけるコモントリガーボックスがＢＬＥ通信する場合に登録するペアリング情報の一例を示す図
【図７Ｃ】各実施の形態におけるウェアラブルカメラがＷＬＡＮ通信する場合に登録する通信設定情報の一例を示す図
【図７Ｄ】各実施の形態におけるコモントリガーボックスがＷＬＡＮ通信する場合に登録する通信設定情報の一例を示す図
【図７Ｅ】各実施の形態におけるコモントリガーボックスがＷＬＡＮ通信する場合に登録する通信設定情報の一例を示す図
【図８】各実施の形態におけるコモントリガーボックスの内部構成の一例を詳細に示すブロック図
【図９Ａ】実施の形態２の前提となる課題の説明図
【図９Ｂ】実施の形態２におけるコモントリガーボックスの動作概要の一例を示す説明図
【図１０】実施の形態２におけるウェアラブルカメラとコモントリガーボックスとの間のペアリングに関する動作手順の第１例を詳細に示すシーケンス図
【図１１Ａ】実施の形態２におけるウェアラブルカメラとコモントリガーボックスとが充電台を介して行うＬＡＮ通信の一例を示す図
【図１１Ｂ】実施の形態２におけるウェアラブルカメラとコモントリガーボックスとの間のペアリングに関する動作手順の第２例を詳細に示すシーケンス図
【図１２】実施の形態３におけるコモントリガーボックスの動作概要の一例を示す説明図
【図１３】実施の形態３におけるウェアラブルカメラとコモントリガーボックスとの間のペアリングに関する動作手順の一例を詳細に示すシーケンス図
【図１４】実施の形態４における充電台の内部構成の一例を詳細に示すブロック図
【図１５】実施の形態４における充電台の動作手順の一例を詳細に示すフローチャート
【図１６】図１５に示す充電台の動作手順の一例を示すテーブル
【発明を実施するための形態】
【００１８】
以下、適宜図面を参照しながら、本発明に係るウェアラブルカメラ、車載通信装置、充電装置及び通信システムを具体的に開示した実施の形態をそれぞれ詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定する事は意図されていない。
【００１９】
（実施の形態１）
図１は、各実施の形態の通信システム１０００のシステム構成の一例を示す概要説明図である。図１に示す通信システム１０００は、警察官の装着又は所持が可能なウェアラブルカメラ１０と、警察署（Police Department）ＰＤ内に配置される各種の機器と、警察官が現場（Field）で使用する各種の機器と、警察車両７（Police Vehicle、例えばパトロールカー（所謂、パトカー）。以下同様とする。）の内部で使用又は搭載される各種の機器と、警察官の自宅（Officer Home）内で使用される各種の機器とにより構成される。ウェアラブルカメラ１０は、警察署ＰＤ内に配置される各種の機器、警察官が現場で使用する各種の機器、警察車両の内部で使用又は搭載される各種の機器、警察官の自宅内で使用される各種の機器、のいずれに属しても構わない。
【００２０】
警察署ＰＤ内に配置される各種の機器は、例えばバックエンドサーバ５０（ＢＥＳ：Back End Server）と、バックエンドストリーミングサーバ６０（ＢＳＳ：Back End Streaming Server）と、バックエンドクライアント７０ａ，７０ｂ（ＢＥＣ：Back End Client）と、無線ＬＡＮ（Local Area Network）アクセスポイント６３と、複数のウェアラブルカメラを一括して充電可能な充電装置の一例としてのギャングチャーヂャとを少なくとも含むが、これらに限定されない。
【００２１】
警察官が現場（Field）で使用する各種の機器は、例えば警察官の所持が可能なスマートフォン４０（タブレット端末でも可）と、警察官の所持が可能な無線ＬＡＮアクセスポイント４５とを少なくとも含むが、これらに限定されない。なお、スマートフォン４０や無線ＬＡＮアクセスポイント４５は、例えば警察官が着用する制服のポケット等内にて所持される。
【００２２】
警察車両７の内部で使用又は搭載される各種の機器は、例えば車載カメラシステム（ＩＣＶ：In-Car Video）３０と、車載ＰＣ３２と、車載通信装置の一例としてのコモントリガーボックス１００（ＣＴＢ：Common Trigger Box）と、充電装置（Pairing Dock）の一例としての充電台２００と、回転警告灯ＰＬとを少なくとも含むが、これらに限定されない。
【００２３】
警察官の自宅内で使用される各種の機器は、例えばウェアラブルカメラ１０を充電するためのクレードル（Cradle）と、ホームルータ（Home router）とを少なくとも含むが、これらに限定されない。
【００２４】
車載カメラシステム３０は、１つ又は複数の車載カメラ３１、車載ＰＣ３２及び車載レコーダ３３を有し、警察車両７で走行中に遭遇する事件やパトロール中等の状況を映像として撮像して記録する。１つ又は複数の車載カメラ３１は、例えば警察車両７の前方を撮像するように設置されたカメラ、警察車両７の左側、右側、後方をそれぞれ撮像するように設置されたそれぞれのカメラのうち１つ又は複数を含む。編集装置の一例としての車載ＰＣ３２は、警察官３の操作に従って、車載カメラ３１及び車載レコーダ３３の動作を制御する。車載レコーダ３３は、複数の車載カメラ３１でそれぞれ撮像された映像のデータを時系列に記録する。また、車載ＰＣ３２は、ＵＳＢ（Universal Serial Bus）によってウェアラブルカメラ１０と接続された場合には、ウェアラブルカメラ１０を充電可能であるとともに、ウェアラブルカメラ１０により撮像された映像のデータを、ＵＳＢを介して取得し、車載ＰＣ３２内にインストールされている既定のアプリケーションにおいて再生したり、警察官の操作に従って、そのアプリケーションにおいて映像の属性情報を付与したりする。
【００２５】
車載カメラシステム３０は、コモントリガーボックス１００と有線（例えばＬＡＮ通信）で接続され、コモントリガーボックス１００からの指令に応じた動作（例えば車載カメラ３１で撮像された映像のデータ記録（つまり、録画）の開始又は停止）を行う。車載カメラシステム３０は、コモントリガーボックス１００を介してウェアラブルカメラ１０と通信可能に接続され、ウェアラブルカメラ１０で撮影開始するタイミングと同時に車載レコーダ３３で記録を開始する。また、逆に車載レコーダ３３で撮影開始するタイミングと同時にウェアラブルカメラ１０で記録を開始することもある。また、車載カメラシステム３０は、ウェアラブルカメラ１０で撮像された映像を車載レコーダ３３に記録してもよい。
【００２６】
ウェアラブルカメラ１０は、ユーザの一例としての警察官の制服に装着又は保持され、警察官の前方の状況を被写体として撮像し、撮像により得られた映像のデータを、コモントリガーボックス１００を介して車載カメラシステム３０に送信したり、ウェアラブルカメラ１０と車載レコーダ３３で同時に撮影を開始したり、無線ＬＡＮアクセスポイント６３を介してバックエンドサーバ５０に直接送信したり、スマートフォン４０或いは無線ＬＡＮアクセスポイント４５及びネットワークＮＷ１（例えばモバイル通信ネットワーク網又はインターネット網）を介してバックエンドストリーミングサーバ６０にストリーミングしたりする。また、警察署ＰＤ内では、ウェアラブルカメラ１０は、ＵＳＢによって接続されたバックエンドクライアント７０ｂ、又は警察署ＰＤ内のＬＡＮによって接続されたバックエンドサーバ５０に対し、撮像により得られた映像のデータを送ってもよい。また、ウェアラブルカメラ１０は、手動でギャングチャーヂャの充電面に載置される事で、撮像映像のデータをバックエンドサーバ５０に送信可能である。
【００２７】
ウェアラブルカメラ１０や車載カメラ３１の撮像対象となる被写体には、単に人物だけではなく、事件の現場の情景、現場の近くに群がる群衆（いわゆる、野次馬）、更に、撮像位置の周囲の雰囲気も含まれる。警察官３は、ウェアラブルカメラ１０と通信可能な無線端末の一例としてのスマートフォン４０や無線ＬＡＮアクセスポイント４５を所持する場合もある。
【００２８】
スマートフォン４０は、電話機能及び無線通信機能（例えばデザリング機能）を有し、例えば警察署４からの緊急連絡又は警察署への緊急連絡時に使用され、更に、ウェアラブルカメラ１０からのデータを警察署ＰＤ内のバックエンドストリーミングサーバ６０に中継する。また、スマートフォン４０は、警察官の操作に従って、ウェアラブルカメラ１０の撮像映像のデータを再生したり、その撮像映像のデータに属性情報（メタデータ）を付与する等の編集をしたりする。
【００２９】
無線ＬＡＮアクセスポイント４５は、ウェアラブルカメラ１０からのデータを警察署ＰＤ内のバックエンドストリーミングサーバ６０に中継する。ウェアラブルカメラ１０とスマートフォン４０や無線ＬＡＮアクセスポイント４５との間には、無線通信（例えばＢＬＥ（Bluetooth（登録商標） Low Energy）又はＷＬＡＮ（無線ＬＡＮ、例えばＷｉｆｉ（登録商標））が用いられる。なお、ウェアラブルカメラ１０がスマートフォン４０や無線ＬＡＮアクセスポイント４５を介してバックエンドストリーミングサーバ６０にストリーミングする等の高速通信の際には、ＢＬＥよりも伝送速度が高速な無線ＬＡＮを用いた無線通信が使用される。一方、ウェアラブルカメラ１０の撮像映像の事件番号などのデータをスマートフォン４０にて編集する等の低速通信で実現可能な際には、ＢＬＥを用いた無線通信が使用される。
【００３０】
バックエンドサーバ５０は、コンピュータ及びストレージを有して構成され、事件の証拠映像を管理する。バックエンドサーバ５０は、バックエンドクライアント７０ａ，７０ｂを使用するユーザ（例えば警察署ＰＤ内の解析専門官）の操作に応じた要求に従い、例えばウェアラブルカメラ１０や車載カメラ３１により撮像された映像を構成する画像フレーム中の顔を認識する顔認識機能やその映像の少なくとも一部を画像処理等で編集する編集機能等の映像解析機能を有する。また、バックエンドサーバ５０は、バックエンドクライアント７０ａ，７０ｂを使用するユーザ（例えば警察署ＰＤ内の解析専門官）の操作に応じた要求に従い、ウェアラブルカメラ１０や車載カメラ３１により撮像された映像を再生する再生機能を有する。
【００３１】
バックエンドストリーミングサーバ６０は、ウェアラブルカメラ１０からストリーミングされた映像のデータを受信し、バックエンドサーバ５０に転送する。
【００３２】
バックエンドクライアント７０ａ，７０ｂは、例えばＰＣにより構成され、バックエンドサーバ５０内の不審人物ＤＢ（Database、不図示）にアクセスし、犯罪者等の事件に関する情報を検索してその検索結果をディスプレイデバイス（例えばバックエンドクライアント７０ａ，７０ｂに設けられたＬＣＤ（Liquid Crystal Display））上に表示可能なブラウザ又は専用アプリケーションを有する。不審人物ＤＢには、例えば指名手配中の人物や過去の犯罪者等が事件を識別する情報（例えば事件番号）に対応付けて予め登録されている。また、バックエンドクライアント７０ａ，７０ｂは、バックエンドサーバ５０の音声ＤＢにアクセスし、犯罪者等の事件に関する音声情報を検索可能である。なお、バックエンドクライアント７０は、警察署４の内部に設置されるだけでなく、警察署４の外部に設置されたものでもよい。また、バックエンドクライアント７０は、シンクライアントＰＣ或いはリッチクライアントＰＣのいずれであってもよい。
【００３３】
無線ＬＡＮアクセスポイント６３は、ウェアラブルカメラ１０と無線ＬＡＮ（ＷＬＡＮ）によって無線接続し、例えばウェアラブルカメラ１０から送信された映像のデータを中継してバックエンドサーバ５０に転送する。
【００３４】
ギャングチャーヂャは、複数の警察官がそれぞれ装着又は所持するウェアラブルカメラ１０を所定の充電面上に載置可能であり、載置された個々のウェアラブルカメラ１０のバッテリを充電する。ギャングチャーヂャは、充電中にウェアラブルカメラ１０との間で有線通信を行い、ウェアラブルカメラ１０に記憶された映像のデータをバックエンドサーバ５０に送信する機能も有する。または、ウェアラブルカメラ１０は、ギャングチャージャを介して、ＬＡＮインターフェース（不図示）によりバックエンドサーバ５０と直接通信してもよい。また、ギャングチャーヂャは、ＵＳＢ（Universal Serial Bus）ケーブルを介してバックエンドクライアント７０ｂに有線接続される。
【００３５】
コモントリガーボックス１００は、回転警告灯ＰＬ、サイレン（不図示）、車載カメラシステム３０、充電台２００との間でそれぞれ有線（例えばＬＡＮ通信）によって接続されるとともに、ウェアラブルカメラ１０が充電台２００に接続された時には充電台２００を介してウェアラブルカメラ１０とも接続可能である。コモントリガーボックス１００は、コモントリガーボックス１００に有線又は無線にて接続された機器（以下、「ＣＴＢ接続機器」とも称する場合がある）とウェアラブルカメラ１０との間でＢＬＥ或いはＷＬＡＮ（無線ＬＡＮ）を用いて録画開始や録画停止の制御信号を送る事で、ウェアラブルカメラ１０とＣＴＢ接続機器との間で同期した録画開始や録画停止の実行を制御する。ＣＴＢ接続機器は、例えば上述した回転警告灯ＰＬ、サイレン（不図示）、車載カメラシステム３０、充電台２００である。
【００３６】
また、コモントリガーボックス１００は、例えば車載カメラシステム３０との間が有線（例えばＬＡＮ通信）で接続される場合に、車載カメラシステム３０に対し、録画開始又は録画停止の制御信号を送る。これにより、車載カメラシステム３０は、コモントリガーボックス１００からの制御信号に応じた動作として、例えば車載カメラ３１で撮像された映像のデータの車載レコーダ３３への記録（録画）を開始したり、その記録（録画）を停止したりできる。コモントリガーボックス１００は、例えば回転警告灯ＰＬ又はサイレン等の警察車両搭載機器からの動作開始信号を取得すると、その警察車両搭載機器の使用開始を検知し、コモントリガーボックス１００に接続されたウェアラブルカメラ１０や車載カメラシステム３０に対し、録画開始や録画停止の制御信号を送る。これにより、ウェアラブルカメラ１０や車載カメラシステム３０は、コモントリガーボックス１００からの制御信号に応じた動作として、例えば回転警告灯ＰＬの回転開始又はサイレンの音声出力に伴って、撮像により得られた映像のデータの録画を開始したり停止したりできる。
【００３７】
コモントリガーボックスの接続機器が、車載レコーダ３３及びウェアラブルカメラ１０のみである場合は、一方（例えば車載レコーダ３３）が録画の開始又は停止した事をコモントリガーボックス１００へ伝えると、コモントリガーボックス１００は、もう一方（例えばウェアラブルカメラ１０）へ録画の開始又は停止の制御信号を送る。これにより、コモントリガーボックス１００は、車載レコーダ３３及びウェアラブルカメラ１０の両者をほぼ同時に録画を開始したり又は停止したりする事が可能となる。
【００３８】
充電台２００は、例えば警察車両７の既定位置（例えばセンターコンソールの付近）に配置され、コモントリガーボックス１００との間で有線（例えばＬＡＮケーブルを使ったＰｏＥ（Power over Ethernet（登録商標）））によって接続される。充電台２００は、ウェアラブルカメラ１０を載置するための充電面を有する。充電台２００は、コモントリガーボックス１００との間で有線（例えばＬＡＮケーブルを使ったＰｏＥ）によって接続され、かつ充電面にウェアラブルカメラ１０が載置された事でウェアラブルカメラ１０との間が接続された場合、コモントリガーボックス１００からの供給電流に基づいてウェアラブルカメラ１０のバッテリを充電可能である。
【００３９】
また、警察官は、例えば自宅に帰宅した時又は休暇中に、ウェアラブルカメラ１０をウェアラブルカメラ１０に対応したクレードルに載置したとする。この場合、ウェアラブルカメラ１０は、クレードルと有線（例えばＬＡＮ通信）によって接続されたホームルータ及びネットワークＮＷ２を介して、ウェアラブルカメラ１０により撮像された映像のデータをバックエンドサーバ５０に送信可能である。
【００４０】
図２は、各実施の形態のウェアラブルカメラ１０を装着した警察官３の上半身の一例を示す図である。ウェアラブルカメラ１０は、警察官３の前方を撮像可能なように、警察官３の制服の前部に装着又は保持される。ウェアラブルカメラ１０は、例えば首から紐で吊り下げた状態で制服の前部に固定されてもよい。ウェアラブルカメラ１０は、ウェアラブルカメラ１０の筐体１０ｚ（図３参照）の背面に取り付けられた取付具（例えば取付用クリップ）と制服の前部に取り付けられた被取付具とが係合する事で制服の前部に固定されてもよい。
【００４１】
図３は、各実施の形態のウェアラブルカメラ１０の筐体１０ｚの表側の面の一例を示す正面図である。筐体１０ｚの表側の面には、録画スイッチＳＷ１、スナップショットスイッチＳＷ２及び撮像レンズ１１ｚが配置される。録画スイッチＳＷ１は、例えば短押しされる事で録画の開始を指示し、長押し（例えば３秒間の押し状態が継続された操作）される事で録画の停止を指示する。スナップショットスイッチＳＷ２は、例えば押下される度に、撮像部１１により撮像される静止画の記録を指示する。撮像レンズ１１ｚは、ウェアラブルカメラ１０により撮像される被写体の光学像を撮像部１１（図４参照）の撮像面に結像させる。
【００４２】
筐体１０ｚの側面には、通信モードスイッチＳＷ３及び属性情報付与スイッチＳＷ４が配置される。筐体１０ｚの上面には、例えば３個のＬＥＤ２６ａ，２６ｂ，２６ｃが配置される。ＬＥＤ２６ａは、ウェアラブルカメラ１０の電源オン／オフの状態及びバッテリ２５（図４参照）の状態を表示する。ＬＥＤ２６ｂは、ウェアラブルカメラ１０の撮像動作の状態を表示する。ＬＥＤ２６ｃは、ウェアラブルカメラ１０の通信モードの状態を表示する。
【００４３】
図４は、各実施の形態のウェアラブルカメラ１０の内部構成の一例を詳細に示すブロック図である。ウェアラブルカメラ１０は、撮像部１１と、ＧＰＩＯ１２（General Purpose Input/Output）と、ＲＡＭ（Random Access Memory）１３と、ＲＯＭ（Read Only Memory）１４と、記憶部１５とを含む。ウェアラブルカメラ１０は、ＥＥＰＲＯＭ（Electrically Erasable Programmable ROM）１６と、ＲＴＣ（Real Time Clock)１７と、ＧＰＳ（Global Positioning System）受信部１８とを含む。ウェアラブルカメラ１０は、ＭＣＵ（Micro Controller Unit）１９と、ＢＬＥ通信部２１Ａと、ＷＬＡＮ通信部２１Ｂと、ＵＳＢインタフェース（Ｉ／Ｆ）２２と、コンタクトターミナル２３と、電源部２４と、バッテリ２５とを含む。
【００４４】
ウェアラブルカメラ１０は、録画スイッチＳＷ１と、スナップショットスイッチＳＷ２と、通信モードスイッチＳＷ３と、属性情報付与スイッチＳＷ４と、無線登録スイッチＳＷ５とを含む。
【００４５】
ウェアラブルカメラ１０は、３個のＬＥＤ（Light Emitting Diode）２６ａ，２６ｂ，２６ｃと、バイブレータ２７と、音声出力部２８と、マイク２９Ａと、スピーカ２９Ｂと、イヤホン端子２９Ｃとを含む。ＬＥＤ２６ａ，２６ｂ，２６ｃ、バイブレータ２７、音声出力部２８は、ユーザに報知する報知部の一例として機能する。
【００４６】
撮像部１１は、撮像レンズ１１ｚ（図３参照）と、ＣＣＤ（Charge Coupled Device）型イメージセンサ又はＣＭＯＳ（Complementary Metal Oxide Semiconductor）型イメージセンサ等による固体撮像素子とを有する。撮像部１１は、撮像により得られた被写体の画像に基づく映像のデータをＭＣＵ１９に出力する。
【００４７】
コンタクトターミナル２３の検知端子２３Ｔは、ウェアラブルカメラ１０が充電台２００やギャングチャーヂャに載置（セット）された場合、あるいは充電台２００やギャングチャーヂャから取り外された場合に電圧変化が生じる端子である。コンタクトターミナル２３の検知端子２３Ｔは、ＡＤコンバータＣＶに接続される。検知端子２３Ｔの電圧変化を示す信号は、ＡＤコンバータＣＶにおいてデジタル信号に変換され、そのデジタル信号がＩ２Ｃ２０を介してＭＣＵ１９に入力される。
【００４８】
ＧＰＩＯ１２は、パラレルインタフェースである。ＧＰＩＯ１２には、録画スイッチＳＷ１、スナップショットスイッチＳＷ２、通信モードスイッチＳＷ３、属性情報付与スイッチＳＷ４、無線登録スイッチＳＷ５、ＬＥＤ２６ａ，２６ｂ，２６ｃ、バイブレータ２７、音声出力部２８、マイク２９Ａ、スピーカ２９Ｂ及びイヤホン端子２９Ｃが接続される。ＧＰＩＯ１２は、これらの各種電子部品とＭＣＵ１９との間で信号を入出力する。
【００４９】
マイク２９Ａは、ウェアラブルカメラ１０の周囲の音声を収音し、収音された音声の音声データを、ＧＰＩＯ１２を介してＭＣＵ１９に出力する。なお、マイク２９Ａは、ウェアラブルカメラ１０の筐体１０ｚに収容された内蔵マイクであってもよいし、ウェアラブルカメラ１０と無線接続されたワイヤレスマイクであってもよい。ワイヤレスマイクの場合、警察官が任意の箇所に取り付ける事で、収音性を高める事ができる。
【００５０】
音声出力部２８は、ＭＣＵ１９の指示の下で、ウェアラブルカメラ１０の動作に関する音声信号を出力する。音声出力部２８は、予めＲＯＭ１４などに記憶された既定のメッセージの音声を有する音声データを読み出し、この音声データに基づく音声信号をスピーカ２９Ｂから音声出力する。イヤホン端子２９Ｃは、イヤホン端子２９Ｃに接続されたイヤホンに対し、音声出力部２８より出力される音声信号を出力する。スピーカ２９Ｂは、音声出力部２８より出力される音声信号を入力して音声出力する。
【００５１】
また、ＡＤコンバータＣＶは、Ｉ２Ｃ（Inter-Integrated Circuit）２０などの通信インタフェースを介してＭＣＵ１９に接続される。なお、コンタクトターミナル２３の検知端子２３Ｔを、ＡＤコンバータＣＶを介さずにＧＰＩＯ１２へ接続する事でも類似の効果を得る事は可能である。
【００５２】
ＲＡＭ１３は、例えばＭＣＵ１９の動作において使用されるワークメモリである。ＲＯＭ１４は、例えばＭＣＵ１９の動作（処理）の実行を制御するためのプログラム及びデータを予め記憶する。
【００５３】
第１メモリの一例としての記憶部１５は、例えばメモリカード等の記憶媒体により構成され、例えば警察官３の操作に基づく録画開始の指示、又はコモントリガーボックス１００からの録画開始の指示に基づき、撮像部１１で撮像された映像のデータ記録（つまり、録画）を開始する。記憶部１５は、撮像部１１で撮像された所定時間（例えば３０秒）の映像のデータを常時プリバッファリングして保持し、現在時刻より所定時間（例えば３０秒）前までの映像データを常に蓄積し続ける。記憶部１５は、録画開始の指示を受けると、映像データの記録を開始し、録画停止の指示を受けるまでの映像データの記録を継続する。また、記憶部１５は、解像度アップ情報等が設定された設定データファイルを有する。例えば記憶部１５がメモリカードで構成される場合、ウェアラブルカメラ１０の筐体１０ｚに挿抜自在に装着される。
【００５４】
ＥＥＰＲＯＭ１６は、例えばウェアラブルカメラ１０を識別する識別情報（例えばカメラＩＤとしてのシリアル番号）、及び各種設定情報を記憶する。ＲＴＣ１７は、現在の時刻情報をカウントしてＭＣＵ１９に出力する。
【００５５】
ＧＰＳ受信部１８は、複数のＧＰＳ発信機（例えば４個の航法衛星）から送信される、各自の信号送信時刻及び位置座標を含む衛星信号を受信してＭＣＵ１９に出力する。ＭＣＵ１９は、複数の衛星信号を用いて、現在のウェアラブルカメラ１０の位置座標及び衛星信号の受信時刻を算出する。なお、この算出は、ＭＣＵ１９ではなくＧＰＳ受信部１８により実行されてもよい。この受信時刻の情報は、ウェアラブルカメラ１０のシステム時刻（つまり、ＲＴＣ１７の出力）の補正のためにも使用されてもよい。システム時刻は、撮像された画像（静止画、動画を含む）の撮像時刻の記録等に利用される。
【００５６】
ＭＣＵ１９は、ウェアラブルカメラ１０の制御部としての機能を有し、例えばウェアラブルカメラ１０の各部の動作を全体的に統括するための制御処理、ウェアラブルカメラ１０の各部との間のデータの入出力処理、データの演算（計算）処理及びデータの記憶処理を行う。ＭＣＵ１９は、ＲＯＭ１４に記憶された各種のプログラム及びデータに従って動作する。ＭＣＵ１９は、動作時、ＲＡＭ１３を使用し、ＲＴＣ１７より現在の時刻情報を得るとともに、ＧＰＳ受信部１８から現在の位置情報を得る。
【００５７】
第１通信部の一例としてのＢＬＥ通信部２１Ａは、近距離無線通信の通信規格であるＢＬＥ（Bluetooth（登録商標） Low Energy）の通信形態を用いて、スマートフォン４０やコモントリガーボックス１００等との間で無線通信を行う。ＢＬＥは、Ｂｌｕｅｔｏｏｔｈ（登録商標）のバージョン４．０の呼称である。ＢＬＥでは、低消費電力で通信可能あるが、その通信速度は１００ｋｂｐｓ程度と低速である。
【００５８】
第１通信部の一例としてのＷＬＡＮ通信部２１Ｂは、テザリング機能を用いた無線ＬＡＮアクセスポイントとしてのスマートフォン４０、無線ＬＡＮアクセスポイント４５、又は警察署ＰＤ内において利用可能な無線ＬＡＮの無線ＬＡＮアクセスポイント６３等と無線ＬＡＮ（つまり、ＷＬＡＮ）で接続され、接続先と無線通信を行う。無線ＬＡＮは、ＢＬＥと比べ、通信速度が数十〜数百Ｍｂｐｓと高速通信可能であるが、無線ＬＡＮアクセスポイントと常時接続されるので、消費電力が多くなる。
【００５９】
なお、ウェアラブルカメラ１０は、ＢＬＥ通信やＷＬＡＮ通信の他、ＮＦＣ（Near Field Communication）等の近距離無線通信や携帯回線網（例えばＬＴＥ：Long Term Evolution）を用いた無線通信を行うための通信部の構成（不図示）をそれぞれ有してもよい。
【００６０】
ＵＳＢインタフェース２２は、シリアルバスであり、例えば車載ＰＣ３２や、警察署ＰＤ内のバックエンドクライアント７０ａ，７０ｂとの接続を可能とする。
【００６１】
コンタクトターミナル２３は、充電台２００と電気的に接続するための端子であり、ＵＳＢインタフェース２２を介してＭＣＵ１９に接続されるとともに、電源部２４と接続される。電源部２４は、コンタクトターミナル２３における充電台２００との接続検知に応じて、バッテリ２５を充電する。コンタクトターミナル２３は、充電台２００との接続に応じて、ＭＣＵ１９が記憶部１５から読み出した映像のデータを、充電台２００を介して接続された外部機器（例えばコモントリガーボックス１００）に通信可能である。
【００６２】
コンタクトターミナル２３には、例えば「充電端子Ｖ＋」（不図示）、「検知端子２３Ｔ」、「データ端子Ｄ−，Ｄ＋」（不図示）及び「グランド端子」（不図示）が設けられる。検知端子２３Ｔは、電圧及び電圧変化を検出するための端子である。データ端子Ｄ−，Ｄ＋は、例えばＵＳＢコネクタ端子を介して、車載ＰＣ３２に対してウェアラブルカメラ１０で撮像した映像のデータを転送するための端子である。コンタクトターミナル２３の検知端子２３Ｔは、ＡＤコンバータＣＶを介してＩ２Ｃ２０等の通信インタフェースに接続され、コンタクトターミナル２３の検知電圧値がＭＣＵ１９に入力される。
【００６３】
コンタクトターミナル２３と、充電台２００のコネクタとが接続される事により、ウェアラブルカメラ１０と外部機器（例えばコモントリガーボックス１００）との間でデータ通信が可能となる。
【００６４】
電源部２４は、例えばコンタクトターミナル２３を介して、充電台２００に接続される外部電源（例えばコモントリガーボックス１００、警察車両７内のシガーチャーヂャ、警察車両７内のアクセサリ）より供給される充電電流をバッテリ２５に給電する事で、バッテリ２５を充電する。
【００６５】
バッテリ２５は、例えば充電可能な２次電池により構成され、ウェアラブルカメラ１０の各部に電源電力を供給する。
【００６６】
録画スイッチＳＷ１は、例えば警察官３の押下操作による録画（動画の撮像）の開始／停止の操作指示を入力する押しボタンスイッチである。また、ＭＣＵ１９は、例えば録画スイッチＳＷ１が短押しされた事で録画（動画の撮像）を開始し、録画スイッチＳＷ１が長押しされた事で録画を終了してもよい。また、ＭＣＵ１９は、例えば録画スイッチＳＷ１が奇数回押下される事で録画（動画の撮像）を開始し、録画スイッチＳＷ１が偶数回押下される事で録画を終了してもよい。
【００６７】
スナップショットスイッチＳＷ２は、例えば警察官３の押下操作による静止画の撮像の操作指示を入力する押しボタンスイッチである。スナップショットスイッチＳＷ２は、例えば押下される度に、ＭＣＵ１９によって押下時の静止画の撮像が実行される。
【００６８】
通信モードスイッチＳＷ３は、例えばウェアラブルカメラ１０と外部機器との間の通信モードを設定するための操作指示を入力するスライドスイッチである。通信モードは、例えばアクセスポイントモード、ステーションモード、ＯＦＦモードを含む。
【００６９】
アクセスポイントモードは、ウェアラブルカメラ１０が無線ＬＡＮのアクセスポイントとして動作し、例えば警察官３が所持するスマートフォン４０と無線接続して、ウェアラブルカメラ１０とスマートフォン４０との間で通信を行うモードである。アクセスポイントモードにおいて、スマートフォン４０は、ウェアラブルカメラ１０と接続する事により、ウェアラブルカメラ１０による現在のライブ画像の表示、録画された画像の再生、撮像された静止画の表示等を行う事ができる。
【００７０】
ステーションモードは、無線ＬＡＮを用いて外部機器と接続する場合に、外部機器をアクセスポイントとして通信するモードである。例えばスマートフォン４０のテザリング機能を利用し、外部機器としてスマートフォン４０を設定してもよい。ステーションモードにおいて、ウェアラブルカメラ１０は、各種設定、ウェアラブルカメラ１０が保持する録画された画像の転送（アップロード）等を、車載カメラシステム３０や警察署４内のバックエンドクライアント７０やバックエンドサーバ５０に対して行う事ができる。
【００７１】
ＯＦＦモードは、無線ＬＡＮの通信動作をオフし、無線ＬＡＮを未使用とするモードである。
【００７２】
属性情報付与スイッチＳＷ４は、映像データに属性情報を付与するために操作される押しボタンスイッチである。属性情報は、ウェアラブルカメラ１０により撮像された映像の内容（例えば事件の種別、殺人、強盗、災害等）を示す。
【００７３】
第１指示部の一例としての無線登録スイッチＳＷ５は、ウェアラブルカメラ１０が無線通信（例えばＢＬＥ又は無線ＬＡＮを用いた無線通信）する相手の外部機器（例えばスマートフォン４０、無線ＬＡＮアクセスポイント４５、コモントリガーボックス１００）を通信相手として登録して設定する（以下、「通信設定処理」とも称する場合がある）際に操作される押しボタンスイッチである。以下、例えばＢＬＥを用いた無線通信において、通信相手となる機器を登録して設定する処理を「ペアリング」と称する場合がある。
【００７４】
ＬＥＤ２６ａは、例えばウェアラブルカメラ１０の電源投入状態（オンオフ状態）及びバッテリ２５の状態を示す表示部である。
【００７５】
ＬＥＤ２６ｂは、例えばウェアラブルカメラ１０の撮像動作の状態（録画状態）を示す表示部である。
【００７６】
ＬＥＤ２６ｃは、例えばウェアラブルカメラ１０の通信モードの状態を示す表示部である。また、３個のＬＥＤ２６ａ〜２６ｃは、ウェアラブルカメラ１０がバックエンドサーバ５０から通知データを受信すると、ＭＣＵ１９からの指示に従い、点滅動作を行う。この時、ＭＣＵ１９は、通知データに含まれる、音源に関する情報に応じて、ＭＣＵ１９は、ＬＥＤ２６ａ〜２６ｃの点滅パターンを可変させる。
【００７７】
ＭＣＵ１９は、録画スイッチＳＷ１、スナップショットスイッチＳＷ２、通信モードスイッチＳＷ３、属性情報付与スイッチＳＷ４及び無線登録スイッチＳＷ５の各スイッチの入力検出を行い、操作があったスイッチ入力に対する処理を行う。
【００７８】
ＭＣＵ１９は、録画スイッチＳＷ１の操作入力を検出した場合、撮像部１１における撮像動作の開始又は停止を制御し、撮像部１１から得られた画像を、動画像として記憶部１５に保存する。
【００７９】
ＭＣＵ１９は、スナップショットスイッチＳＷ２の操作入力を検出した場合、スナップショットスイッチＳＷ２が操作されたときの撮像部１１による画像を、静止画像として記憶部１５に保存する。
【００８０】
ＭＣＵ１９は、通信モードスイッチＳＷ３の状態を検出し、通信モードスイッチＳＷ３の設定に応じた通信モードによって通信部２１を動作させる。
【００８１】
ＭＣＵ１９は、属性情報付与スイッチＳＷ４が押下された場合、撮像部１１によって撮像された映像のデータに対応する属性情報を、その映像に対応付けて付与する。
【００８２】
ＭＣＵ１９は、無線登録スイッチＳＷ５が押下された場合、ウェアラブルカメラ１０の通信相手となり得る周囲の外部機器（例えばコモントリガーボックス１００）に対し、通信設定処理（例えばペアリング）において行われるべき既定の処理を実行する。ここで、既定の処理は、ペアリングを例示すると、無線通信の通信相手としての登録要求情報の生成並びにＢＬＥ通信部２１Ａへの出力、接続先である通信相手を特定するための接続情報の生成並びにＢＬＥ通信部２１Ａへの出力、通信相手から送信された接続情報の記憶部１５への保存である。但し、無線ＬＡＮの通信設定に関する既定の処理は、上述したペアリングを例示した時の既定の処理と同様である事は言うまでもない。
【００８３】
図５は、実施の形態１におけるウェアラブルカメラ１０とコモントリガーボックス１００との間の通信の動作概要の一例を示す説明図である。上述したように、警察官が所属する警察署ＰＤの運用によって、警察官が乗車する警察車両は日々決まっている運用と毎日変わる運用の両方が存在する。ここでは、実施の形態１の内容を分かり易く説明するために、警察官が乗車する警察車両は毎日変わる事を想定して説明する。
【００８４】
警察官が乗車する警察車両は毎日変わる運用の下では、警察官は、第１日目（Day1）に警察車両７ａに乗車する際、例えば既存のＡＯＳＳ（登録商標、AirStation One-Touch Secure System）の技術を利用する事で、第１通信設定部の一例としてのＭＣＵ１９は、自己が使用するウェアラブルカメラ１０と警察車両７ａ内に搭載されたコモントリガーボックス１００ａとの間の通信設定処理の一例としてのペアリングを実行する。
【００８５】
例えば、詳細は後述するが、ウェアラブルカメラ１０の無線登録スイッチＳＷ５とコモントリガーボックス１００のスイッチ１７０（図８参照）とがともに押下される。各スイッチの押下により、ウェアラブルカメラ１０とコモントリガーボックス１００は、ともに暗号化された通信セッションを確立し、その暗号化された通信セッションを介して、相互に自己の接続情報を送り合って受信して保存する。これにより、ウェアラブルカメラ１０及びコモントリガーボックス１００は、例えばＢＬＥを用いた無線通信の通信相手として互いに登録及び設定をでき、それ以降は互いに無線通信を行える。
【００８６】
しかし、第２日目（Day2）になると、警察官は警察車両７ａと異なる警察車両７ｂに乗車する。警察官は同じウェアラブルカメラ１０を使用するが、このウェアラブルカメラ１０と警察車両７ｂに搭載されたコモントリガーボックス１００ｂとの間ではＢＬＥを用いた無線通信に関するペアリングを行う必要がある。つまり、ペアリングが完了しないと、ウェアラブルカメラ１０とコモントリガーボックス１００ｂとはＢＬＥを用いた無線通信が不可である。また、警察官は、ウェアラブルカメラ１０が第１日目（Day1）に実行したペアリングに基づく通信設定情報（以下、「ペアリング情報」とも称する場合がある）がそのウェアラブルカメラ１０に残っているかどうかを確認できない。従って、例えば警察官がパトロール又は事件現場に急行するために警察署ＰＤの駐車場に来た時、警察官は、ウェアラブルカメラ１０と第２日目（Day2）に乗車予定の警察車両７ｂのコモントリガーボックス１００ｂとの間の無線通信のペアリングを実行し忘れたとする。この場合には、例えばウェアラブルカメラ１０に第１日目（Day1）に実行したペアリングに基づくペアリング情報が残っていると、ウェアラブルカメラ１０は、警察官が第２日目（Day2）に乗車予定の警察車両７ｂとの間でＢＬＥを用いた無線通信ができず、警察官の業務に支障が生じる。
【００８７】
そこで実施の形態１では、図５に示すように、ウェアラブルカメラ１０の第１制御部の一例としてのＭＣＵ１９は、自己が保存したペアリング情報を、そのペアリング情報に対応する通信相手との間のペアリングが完了してから一定期間（例えば１２時間）がＢＬＥ通信を行うことなく経過した後に削除する。また、コモントリガーボックス１００が一定期間（例えば１２時間）通信することなく経過したことを検知した場合に、コモントリガーボックス１００側のペアリング情報を消去することで、類似の効果を得ることも可能である。
【００８８】
図５を参照して具体的に説明する。
【００８９】
第１日目（Day1）の午前８時４０分、警察官は、例えばパトロール業務を開始するために駐車場に来ると、警察車両７ａに搭載されたコモントリガーボックス１００ａとウェアラブルカメラ１０との間でＢＬＥ通信のペアリングを実行する。これにより、ウェアラブルカメラ１０とコモントリガーボックス１００ａとは、互いにＢＬＥ通信を行える。なお、ペアリングは例えば上述したＡＯＳＳ（登録商標）の技術を利用した方法でもよいし、Ｂｌｕｅｔｏｏｔｈ（登録商標）の標準方式や他の方法でも構わない。
【００９０】
第１日目（Day1）の午前１０時００分、例えば事件現場に到着した警察官は、コモントリガーボックス１００ａからの録画開始の制御信号をウェアラブルカメラ１０がＢＬＥ通信によって受信した事で、ウェアラブルカメラ１０は録画を開始する。つまり、ペアリングによってウェアラブルカメラ１０とコモントリガーボックス１００ａとの間でデータの送受が可能となり、ウェアラブルカメラ１０は、コモントリガーボックス１００ａの制御下で撮像映像の録画を開始できたり停止できたりする。
【００９１】
第１日目（Day1）の午後７時３０分、警察官は、警察署ＰＤに戻りウェアラブルカメラ１０を装着又は所持したまま、コモントリガーボックス１００から一定距離離れる。この一定距離は、例えばＢＬＥ通信の通信圏内である。これにより、ウェアラブルカメラ１０と警察車両７ａのコモントリガーボックス１００ａとのペアリング（リンク）は解除されることになる。
【００９２】
第２日目（Day2）の午前８時１０分、警察官は、ウェアラブルカメラ１０を装着又は所持して警察署ＰＤに出勤したとする。なお、警察官は、警察署ＰＤに出勤した後に、自己の使用するウェアラブルカメラ１０を装着又は所持してもよい。本実施の形態では、ウェアラブルカメラ１０は、最終の通信時（言い換えると、ウェアラブルカメラ１０とコモントリガーボックス１００ａとの間のペアリング（リンク）が解除される直前の時点）から一定時間（例えば１２時間）が経過された時点で、記憶部１５に記憶されているペアリング情報（具体的には、警察車両７ａのコモントリガーボックス１００ａとのＢＬＥ通信のペアリング情報）を削除する。具体的には、第２日目（Day2）の午前７時３０分頃に、ウェアラブルカメラ１０は、記憶部１５に記憶されているペアリング情報（具体的には、警察車両７ａのコモントリガーボックス１００ａとのＢＬＥ通信のペアリング情報）を削除する。従って、第２日目（Day2）の午前８時１０分の時点では、ウェアラブルカメラ１０は、第１日目（Day1）の午前８時４０分に実行されたペアリング処理に基づいて生成したペアリング情報を保持していない事になる。この日、警察官は、警察車両７ａとは異なる警察車両７ｂに乗車する。なおここでは、説明を簡単にするために、警察官は、警察車両７ｂに乗車する例を説明しているが、第１日目（Day1）と同じ警察車両７ａに乗車しても構わない。
【００９３】
第２日目（Day2）の午前８時２０分、警察官は、例えばパトロールに出かけるために駐車場に来ると、ウェアラブルカメラ１０は、警察車両７ｂのコモントリガーボックス１００ｂからの信号を受信してコモントリガーボックス１００ｂを検知する。しかし、この時点では、ウェアラブルカメラ１０とコモントリガーボックス１００ｂとの間のペアリングは実行されていないので、ウェアラブルカメラ１０とコモントリガーボックス１００ｂとは互いにＢＬＥ通信を行う事ができない。ウェアラブルカメラ１０は、コモントリガーボックス１００ｂからの信号を受信して検知すると、例えばバイブレータ２７の振動によって、ウェアラブルカメラ１０と警察車両７ｂのコモントリガーボックス１００ｂとの間でペアリングが実行されていない旨を警察官に報知する。これにより、警察官は、ウェアラブルカメラ１０と自己が第２日目（Day2）に乗車予定の警察車両７ｂのコモントリガーボックス１００ｂとの間でペアリングが未だできていない事を認識できる。
【００９４】
第２日目（Day2）の午前８時２５分、警察官は、例えばバイブレータ２７の振動を受けて、警察車両７ｂに搭載されたコモントリガーボックス１００ｂとウェアラブルカメラ１０との間でＢＬＥ通信のペアリングを実行する。これにより、ウェアラブルカメラ１０とコモントリガーボックス１００ｂとは、互いにＢＬＥ通信を行える。
【００９５】
図７Ａは、各実施の形態におけるウェアラブルカメラ１０がＢＬＥ通信する場合に登録するペアリング情報の一例を示す図である。図７Ｂは、各実施の形態におけるコモントリガーボックス１００がＢＬＥ通信する場合に登録するペアリング情報の一例を示す図である。図７Ｃは、各実施の形態におけるウェアラブルカメラ１０がＷＬＡＮ通信する場合に登録する通信設定情報の一例を示す図である。図７Ｄは、各実施の形態におけるコモントリガーボックス１００がＷＬＡＮ通信する場合に登録する通信設定情報の一例を示す図である。図７Ｅは、各実施の形態におけるコモントリガーボックス１００がＷＬＡＮ通信する場合に登録する通信設定情報の一例を示す図である。
【００９６】
図７Ａに示すように、ウェアラブルカメラ１０は、ＢＬＥ通信する場合に、通信設定情報の一例としてのペアリング情報（つまり、通信相手であるコモントリガーボックス１００の接続情報）として、接続先のコモントリガーボックス１００毎に、ＭＡＣ（Media Access Control）アドレス及びＢＬＥ通信時に用いる暗号化鍵をそれぞれ記憶する。図７Ａでは、ウェアラブルカメラ１０がＢＬＥ通信する通信相手として、２台のコモントリガーボックス１００の接続情報がペアリング情報として登録されている。
【００９７】
図７Ｂに示すように、コモントリガーボックス１００は、ＢＬＥ通信する場合に、通信設定情報の一例としてのペアリング情報（つまり、通信相手であるウェアラブルカメラ１０の接続情報）として、接続先のウェアラブルカメラ１０毎に、ＭＡＣアドレス及びＢＬＥ通信時に用いる暗号化鍵をそれぞれ記憶する。図７Ｂでは、コモントリガーボックス１００がペアリングする登録先（つまり、コモントリガーボックス１００がＢＬＥ通信する通信相手）が最大１０台であるところ、６台のウェアラブルカメラ１０の接続情報がペアリング情報として登録されている。
【００９８】
図７Ｃに示すように、ウェアラブルカメラ１０は、ＷＬＡＮ通信（例えばＷｉｆｉ（登録商標）通信）する場合に、通信設定情報（つまり、通信相手であるコモントリガーボックス１００の接続情報）として、接続先のコモントリガーボックス１００毎に、ＳＳＩＤ（Service Set Identifier）及びＷＬＡＮ通信時に用いる暗号化鍵をそれぞれ記憶する。図７Ｃでは、ウェアラブルカメラ１０がＷＬＡＮ通信する通信相手として、２台のコモントリガーボックス１００の接続情報が通信設定情報として登録されている。
【００９９】
図７Ｄに示すように、コモントリガーボックス１００は、ＷＬＡＮ通信（例えばＷｉｆｉ（登録商標）通信）する場合に、接続先（つまり、通信相手であるウェアラブルカメラ１０）との間の無線ＬＡＮに用いるネットワーク鍵（暗号鍵）を記憶する。
【０１００】
図７Ｅに示すように、コモントリガーボックス１００は、ＷＬＡＮ通信（例えばＷｉｆｉ（登録商標）通信）する場合に、通信設定情報（つまり、通信相手であるウェアラブルカメラ１０の接続情報）として、接続先のウェアラブルカメラ１０毎に、ＭＡＣアドレスをそれぞれ記憶する。図７Ｅでは、コモントリガーボックス１００が通信設定する登録先（つまり、コモントリガーボックス１００がＷＬＡＮ通信する通信相手）が最大１０台であるところ、６台のウェアラブルカメラ１０の接続情報が通信設定情報として登録されている。
【０１０１】
図６は、実施の形態１におけるウェアラブルカメラ１０の動作手順の一例を詳細に示すフローチャートである。図６では、ウェアラブルカメラ１０が、警察車両７のコモントリガーボックス１００との間で無線通信（例えばＢＬＥ通信）するためのペアリング情報を生成していない（言い換えると、ペアリングを実行していない）場合にその旨を報知する、というペアリング未実行報知機能について説明する。また、図６の説明は、ウェアラブルカメラ１０とコモントリガーボックス１００とがＷＬＡＮ通信（無線ＬＡＮ通信）する場合にも同様に適用可能である。
【０１０２】
図６において、ウェアラブルカメラ１０は、状態フラグを初期化する（Ｓ０）。つまり、ウェアラブルカメラ１０は、状態フラグを０（ゼロ）にセットする（Ｓ０）。この初期化の後、ウェアラブルカメラ１０に上述したペアリング未実行報知機能を使用するか（ＯＮ）又は使用しないか（ＯＦＦ）がＭＣＵ１９において判断される（Ｓ１）。これは、例えばペアリング未実行報知機能を使用するか又は使用しないかを示す設定情報が記憶部１５に記憶されている。ＭＣＵ１９は、記憶部１５に保存されている設定情報を基にして判断する。ペアリング未実行報知機能を使用しない（ＯＦＦ）と設定されている場合には（Ｓ１、ＮＯ）、図６に示すウェアラブルカメラ１０の処理は終了する。
【０１０３】
一方、ペアリング未実行報知機能を使用する（ＯＮ）と設定されている場合には（Ｓ１、ＹＥＳ）、ＭＣＵ１９は、例えばＲＡＭ１３又は記憶部１５に記憶されている状態フラグを参照する（Ｓ２）。状態フラグは、０（ゼロ）又は１のいずれかの値である。状態フラグが０（ゼロ）とは、初期状態（つまり、ウェアラブルカメラ１０とコモントリガーボックス１００とが接続しているかどうかがウェアラブルカメラ１０によって未確認の状態）、又はウェアラブルカメラ１０とコモントリガーボックス１００との接続が切断した状態を示す。一方、状態フラグが１とは、ウェアラブルカメラ１０とコモントリガーボックス１００とが接続した状態又はその接続を維持している状態を示す。
【０１０４】
ＭＣＵ１９は、状態フラグが０（ゼロ）であると判断した場合に（Ｓ２、ＹＥＳ）、コモントリガーボックス１００からの信号をＢＬＥ通信部２１Ａにおいて受信したか否かを判断する（Ｓ３）。コモントリガーボックス１００からの信号には、コモントリガーボックス１００の識別番号（例えばＭＡＣアドレス）が含まれる。ＢＬＥ通信部２１Ａにおいてコモントリガーボックス１００からの信号が受信されていないと判断された場合には（Ｓ３、ＮＯ）、例えば警察官は休暇中で自宅（図１参照）にいるか又は警察署ＰＤ内のオフィス内（つまり、コモントリガーボックス１００とはＢＬＥの通信圏内から離れた位置）でデスクワーク等している事になる。この場合には、警察官は警察車両７には乗車しないので、ウェアラブルカメラ１０の処理はステップＳ８に進む。
【０１０５】
一方、ＭＣＵ１９は、ＢＬＥ通信部２１Ａにおいてコモントリガーボックス１００からの信号が受信されたと判断した場合（Ｓ３、ＹＥＳ）、その旨を警察官に報知するために、例えばＬＥＤ２６ｃを点滅する。なお、コモントリガーボックス１００からの信号が受信されたことの警察官への報知は、バイブレータ２７における特有の振動パターンや、音声出力部２８及びスピーカ２９Ｂによる既定の音声メッセージ（例えば、「コモントリガーボックスからの信号を受信しました」）の音声出力であってもよい。
【０１０６】
ＭＣＵ１９は、ＢＬＥ通信部２１Ａにおいてコモントリガーボックス１００からの信号が受信されたと判断した場合に（Ｓ３、ＹＥＳ）、その信号に含まれる識別番号に対応するコモントリガーボックス１００との間でＢＬＥ通信可能なペアリング情報を保持しているか否かを判断する（Ｓ４）。
【０１０７】
ＭＣＵ１９は、ペアリング情報を保持していないと判断した場合には（Ｓ４、ＮＯ）、ステップＳ３においてＢＬＥ通信部２１Ａが受信した信号の送信元であるコモントリガーボックス１００との間でペアリングが未だ実行されていない旨を報知する（Ｓ５）。ＭＣＵ１９は、例えばＬＥＤ２６ｃの点灯、バイブレータ２７の振動、及び音声出力部２８及びスピーカ２９Ｂを介した既定の音声メッセージの音声出力のうち少なくとも１つを用いて報知する。なお、既定の音声メッセージは、例えば「無線通信に必要なコモントリガーボックスとの間のペアリングが未だできていません」であるが、この内容に限定されない事は言うまでもない。例えば、ＬＥＤの点滅、特有の振動パターンや、音声メッセージによりペアリングの必要性を認識した警察官は、所定のペアリング方法によりペアリングを実施する。又は、ＢＬＥ通信部２１Ａにおいてコモントリガーボックス１００からの信号が受信されたと判断された後、例えば上述したＡＯＳＳ（登録商標）を利用した方法に従って、ウェアラブルカメラ１０とコモントリガーボックス１００との間で、第１通信設定部の一例としてのＭＣＵ１９によってペアリングが自動的に行われても良い。なお、ウェアラブルカメラ１０とコモントリガーボックス１００との間でペアリングが行われるタイミングは、図６においてこの時点に限定されない。例えばステップＳ５の報知の後に、ウェアラブルカメラ１０とコモントリガーボックス１００との間でペアリングが行われてもよい。
【０１０８】
一方、ＭＣＵ１９は、ペアリング情報を保持していると判断した場合には（Ｓ４、ＹＥＳ）、そのペアリング情報を用いてコモントリガーボックス１００との接続トライを行う（Ｓ６）。つまり、ＭＣＵ１９は、既存のチャレンジレスポンス方式を用いて、コモントリガーボックス１００への認証要求を生成してコモントリガーボックス１００に送信する。
【０１０９】
より具体的には、コモントリガーボックス１００は、ウェアラブルカメラ１０から送信された認証要求を受信すると、ランダムな通知列（つまり、チャレンジ）をウェアラブルカメラ１０に送り返す。ＭＣＵ１９は、所定の数値列（コモントリガーボックス１００との間で既定の数値列）とチャレンジとを特定のアルゴリズムに従って合成した数値列（つまり、レスポンス）を生成してコモントリガーボックス１００に送信する。コモントリガーボックス１００は、ウェアラブルカメラ１０に送信したチャレンジと上述した所定の数値列（ウェアラブルカメラ１０との間で既定の数値列）から同一のアルゴリズムに従って合成した数値列（つまり、レスポンス）を生成し、ウェアラブルカメラ１０から送信されたレスポンスと比較する。レスポンス同士が一致すれば、ウェアラブルカメラ１０の認証要求は成功し、ウェアラブルカメラ１０のコモントリガーボックス１００への接続トライは成功した事になる。
【０１１０】
ＭＣＵ１９は、コモントリガーボックス１００との接続トライが失敗したと判断した場合には（Ｓ７、ＮＯ）、タイマリセット（ステップＳ１１，Ｓ１５参照）から一定時間（例えば１２時間）が経過したか否かを判断する（Ｓ８）。また、ステップＳ３においてコモントリガーボックス１００からの信号が受信されない場合（Ｓ３、ＮＯ）や、ステップＳ５においてコモントリガーボックス１００との間のペアリングが未だ実行されていない旨の報知（Ｓ５）の後でも、ＭＣＵ１９は、同様にタイマリセットから一定時間（例えば１２時間）が経過したか否かを判断する（Ｓ８）。タイマリセットから一定時間（例えば１２時間）が経過していないと判断された場合には（Ｓ８、ＮＯ）、ウェアラブルカメラ１０の処理はステップＳ２に戻る。
【０１１１】
一方、ＭＣＵ１９は、タイマリセットから一定時間（例えば１２時間）が経過したと判断した場合には（Ｓ８、ＹＥＳ）、保持しているペアリング情報を削除する（Ｓ９）。ステップＳ９の後、ウェアラブルカメラ１０の処理はステップＳ２に戻る。なお、タイマリセットから一定時間（例えば１２時間）が経過した場合であっても、ペアリング情報がウェアラブルカメラ１０において保持されていない場合には、ステップＳ９の処理は省略されても構わない。
【０１１２】
また、ＭＣＵ１９は、コモントリガーボックス１００との接続トライが成功したと判断した場合には（Ｓ７、ＹＥＳ）、状態フラグを１に更新し（Ｓ１０）、タイマ（不図示）をリセットする（Ｓ１１）。このタイマ（不図示）は、例えばＭＣＵ１９内に内蔵される。ステップＳ１１の後、ウェアラブルカメラ１０の処理はステップＳ２に戻る。
【０１１３】
また、ＭＣＵ１９は、状態フラグが０（ゼロ）でない（言い換えると、１である）と判断した場合に（Ｓ２、ＮＯ）、例えばＲＡＭ１３又は記憶部１５に記憶されている接続フラグを参照し、接続フラグが１（言い換えると、コモントリガーボックス１００との間で既に接続済み）であるかどうかを判断する（Ｓ１２）。ＭＣＵ１９は、接続フラグが１であると判断した場合には（Ｓ１２、ＹＥＳ）、コモントリガーボックス１００との間の通信を切断したか否かを判断する（Ｓ１３）。ステップＳ１３では、例えばウェアラブルカメラ１０を装着又は所持した警察官が、コモントリガーボックス１００との間のＢＬＥ通信が不可となる通信圏外まで移動したかどうかが問われる。コモントリガーボックス１００からの信号がＢＬＥ通信部２１Ａにおいて受信される場合には（Ｓ１３、ＮＯ）、ウェアラブルカメラ１０とコモントリガーボックス１００との間の通信が継続していると判断して、ウェアラブルカメラ１０の処理はステップＳ２に戻る。
【０１１４】
一方、ＭＣＵ１９は、コモントリガーボックス１００との間の通信を切断したと判断した場合には（Ｓ１３、ＹＥＳ）、状態フラグを０に更新し（Ｓ１４）、タイマ（不図示）をリセットする（Ｓ１５）。ステップＳ１５の後、ウェアラブルカメラ１０の処理はステップＳ２に戻る。
【０１１５】
また、ＭＣＵ１９は、接続フラグが１でない（つまり、０（ゼロ）である）と判断した場合には（Ｓ１２、ＮＯ）、状態フラグを０（ゼロ）に更新する（Ｓ１６）。ステップＳ１６の後、ウェアラブルカメラ１０の処理はステップＳ２に戻る。
【０１１６】
以上により、実施の形態１の通信システム１０００では、ウェアラブルカメラ１０は、警察官（ユーザの一例）の前方の被写体を撮像する。ウェアラブルカメラ１０は、警察官が乗車する警察車両７（車両の一例）に設置されるコモントリガーボックス１００との間で通信するためのペアリング（第１通信設定処理の一例）を実行し、このペアリングに基づくコモントリガーボックス１００との間のＢＬＥ通信に用いるペアリング情報（第１通信設定情報の一例）を記憶部１５（メモリの一例）に保存する。ウェアラブルカメラ１０は、記憶部１５に保存されたペアリング情報を用いて、撮像部１１により撮像された被写体の映像を警察車両７のコモントリガーボックス１００に送信する。ウェアラブルカメラ１０は、ＢＬＥ通信部２１Ａの通信相手としてのコモントリガーボックス１００との間でのＢＬＥ通信部２１Ａにおける最終の通信時から一定時間（例えば１２時間）の経過後、ペアリング情報（第１通信設定情報）を記憶部１５から削除する。
【０１１７】
これにより、ウェアラブルカメラ１０は、警察官が乗車する警察車両７毎に搭載されるコモントリガーボックス１００との間の無線通信の最終時点から一定時間が経過する度に通信設定情報を削除するので、警察官に対し都度、そのコモントリガーボックス１００との新たな無線通信の設定を周期的に実行させる事を支援できる。また、ウェアラブルカメラ１０は、たとえ警察官が乗車する警察車両７を毎日乗り換える場合でも、前日に乗車した警察車両７のコモントリガーボックス１００との最終通信時から一定時間が経過していればペアリング情報を削除できるので、警察官が別日に乗車予定の警察車両７内のコモントリガーボックス１００との間で無線通信の設定を新たに可能にできる。従って、警察官が乗車予定の警察車両７のコモントリガーボックス１００とウェアラブルカメラ１０との通信設定（ペアリング）を確実に行えるので、ウェアラブルカメラ１０は、例えばコモントリガーボックス１００からの録画開始や録画停止の制御信号に応じた動作（つまり、録画の開始や停止）を自動的に行え、警察官の業務を効率的に支援できる。
【０１１８】
また、ウェアラブルカメラ１０は、警察車両７のコモントリガーボックス１００との間の無線通信（例えばＢＬＥ、又は無線ＬＡＮ）の通信設定情報を保存していない場合に、通信設定処理（例えばペアリング）が行われていない旨を報知する。これにより、警察官は、乗車予定の警察車両７のコモントリガーボックス１００とのペアリング情報が無い事を認識できるので、ウェアラブルカメラ１０を用いて所望のコモントリガーボックス１００との間でペアリングを的確に実行できる。
【０１１９】
また、ウェアラブルカメラ１０は、通信設定処理が行われていない旨を照明する照明部の一例としてのＬＥＤ２６ｃ、通信設定処理が行われていない旨のパターンで振動する振動部の一例としてのバイブレータ２７、及び通信設定処理が行われていない旨を音声出力する音声出力部２８及びスピーカ２９Ｂのうち少なくとも１つである。これにより、警察官は、乗車予定の警察車両７のコモントリガーボックス１００との間でペアリングが実行されていないためにペアリング情報が無い事を明確に認識できる。
【０１２０】
また、ウェアラブルカメラ１０は、コモントリガーボックス１００から送信された信号を受信した場合に限って、通信設定処理が行われていない旨を警察官に対して報知する。これにより、ウェアラブルカメラ１０は、通信設定処理が行われていない旨の報知を徒に行う事を回避できる。ウェアラブルカメラ１０は、例えば警察官が乗車予定の警察車両７に乗車するまで又は近づくまで（例えば、その警察車両７のコモントリガーボックス１００との通信圏内に入るまで）は、ウェアラブルカメラ１０とコモントリガーボックス１００との間の無線通信の設定処理が行われていない事の報知を回避できる。
【０１２１】
（実施の形態２に至る経緯）
図９Ａは、実施の形態２の前提となる課題の説明図である。警察署ＰＤには複数台の警察車両７ａ，７ｂが駐車されているが、ここでは説明を分かり易くするために、例えば２ｍ（メートル）離れて駐車されているとする。警察車両７ａ，７ｂは例えば車幅が２ｍとする。但し、警察車両７ａ，７ｂの駐車間隔は駐車場の大きさに鑑みて２ｍの程度に限定されない事は言うまでもない。
【０１２２】
図９Ａに示すように、ウェアラブルカメラ１０と警察車両７ａのコモントリガーボックス１００ａとの間の通信設定（例えばペアリング）が無線で行われる際、コモントリガーボックス１００ａの無線通信圏内７ａｄｓ１に存在する他の警察車両７ｂのコモントリガーボックス１００ｂとウェアラブルカメラ１０とが誤ってペアリングされてしまう可能性があるという課題があった。コモントリガーボックス１００ａ，１００ｂの無線通信圏内７ａｄｓ１，７ｂｄｓ１は、それぞれ例えば３０ｍ（メートル）であり、コモントリガーボックス１００ａ、１００ｂからのそれぞれの信号の通信（受信）可能範囲を示す。この課題は、警察車両７ａ，７ｂのコモントリガーボックス１００ａ，１００ｂの無線通信圏内７ａｄｓ１，７ｂｄｓ１に、他の警察車両７ｂ，７ａのコモントリガーボックス１００ｂ，１００ａがそれぞれ位置するために生じると推察される。
【０１２３】
（実施の形態２）
そこで実施の形態２では、例えば２つのアプローチを採用して、上述した課題を解決する通信システム１０００並びにコモントリガーボックス１００の例を説明する。詳細は後述するが、第１のアプローチは、ウェアラブルカメラ１０と警察車両７のコモントリガーボックス１００とにおいて通信設定用のボタンが押下された場合に、コモントリガーボックス１００は、無線通信圏内（通信可能範囲）を狭めた上で、ウェアラブルカメラ１０との間で通信設定を行う方法である。第２のアプローチは、ウェアラブルカメラ１０とコモントリガーボックス１００とが充電台２００を介して有線で接続された上で、通信設定が行われる方法である。
【０１２４】
図８は、各実施の形態におけるコモントリガーボックス１００の内部構成の一例を詳細に示すブロック図である。図８に示すコモントリガーボックス１００は、プロセッサ１１０と、メモリ１２０と、通信部１３０と、ＬＡＮコネクタ１４０と、ＵＳＢコネクタ１４５と、ＬＡＮインタフェース部１５０と、ＵＳＢインタフェース部１５５と、ＬＥＤ１６０と、スイッチ１７０とを含む構成である。コモントリガーボックス１００は、例えば警察車両７のトランクルーム内に配備される事で搭載される。
【０１２５】
プロセッサ１１０は、例えばＣＰＵ（Central Processing Unit）、ＭＰＵ（Micro Processing Unit）又はＤＳＰ（Digital Signal Processor）を用いて構成され、コモントリガーボックス１００の制御部としての機能を有する。プロセッサ１１０は、例えばコモントリガーボックス１００の各部の動作を全体的に統括するための制御処理、コモントリガーボックス１００の各部との間のデータの入出力処理、データの演算（計算）処理及びデータの記憶処理を行う。プロセッサ１１０は、フラッシュメモリ１２２に記憶された各種のプログラム及びデータに従って動作する。
【０１２６】
第２メモリの一例としてのメモリ１２０は、ワークメモリ１２１とフラッシュメモリ１２２とを含む。ワークメモリ１２１は、例えばＲＡＭ（Random Access Memory）を用いて構成され、プロセッサ１１０の動作時に使用される。フラッシュメモリ１２２は、プロセッサ１１０の動作（処理）の実行を制御するためのプログラム及びデータを予め保持したり、プロセッサ１１０の動作（処理）によって生成された各種のデータや外部装置（例えばウェアラブルカメラ１０、車載カメラシステム３０）から送信された各種のデータを記憶したりする。
【０１２７】
第２通信部の一例としての通信部１３０は、有線通信（例えばＬＡＮ通信）を行うための有線通信回路部（不図示）と、無線通信（例えばＢＬＥ通信、無線ＬＡＮ通信）を行うための無線通信回路部（不図示）とを有する。通信部１３０は、コモントリガーボックス１００と有線で接続された外部装置（例えば充電台２００、車載カメラシステム３０、回転警告灯ＰＬ、サイレン（不図示））との間で有線を用いたデータ送受信を行う。なお、コモントリガーボックス１００は車載ＰＣ３２と有線で接続されても構わない。この場合には、通信部１３０は、車載ＰＣ３２との間で有線を用いたデータ送受信を行う。また、通信部１３０は、コモントリガーボックス１００と無線で接続された外部装置（例えばウェアラブルカメラ１０）との間で無線を用いたデータ送受信を行う。
【０１２８】
ＬＡＮコネクタ１４０は、コモントリガーボックス１００とＬＡＮケーブル（不図示、例えばクロスケーブル又はストレートケーブル）を介して接続された外部装置（例えば充電台２００、車載カメラシステム３０、回転警告灯ＰＬ、サイレン（不図示））との間でＬＡＮ通信を行う際に使用される既定のコネクタである。ＬＡＮインタフェース部１５０は、ＬＡＮコネクタ１４０とプロセッサ１１０との間の通信インタフェースであり、ＬＡＮコネクタ１４０とプロセッサ１１０との間のデータの入出力を行う。なお、詳細は実施の形態３で説明するが、ＬＡＮインタフェース部１５０は、ＬＡＮケーブル（例えばクロスケーブル）の信号（ＳＩＧ）端子の出力が入力されるＧＰＩＯ１５１（図１２参照、つまり、パラレルインタフェース）を有する。
【０１２９】
ＵＳＢコネクタ１４５は、コモントリガーボックス１００とＵＳＢケーブル（不図示）を介して接続された外部装置（例えば充電台２００、車載カメラシステム３０、回転警告灯ＰＬ、サイレン（不図示））との間でＵＳＢ通信を行う際に使用される既定のコネクタである。ＵＳＢインタフェース部１５５は、ＵＳＢコネクタ１４５とプロセッサ１１０との間の通信インタフェースであり、ＵＳＢコネクタ１４５とプロセッサ１１０との間のデータの入出力を行う。
【０１３０】
ＬＥＤ１６０は、例えば複数のＬＥＤ（Light Emission Diode）を用いて構成される。ＬＥＤ１６０は、プロセッサ１１０からの制御信号に応じて、コモントリガーボックス１００の電源がＯＮしているか否かを点灯又は消灯して報知する。また、ＬＥＤ１６０は、プロセッサ１１０からの制御信号に応じて、ＢＬＥ通信を行っている状態であるか否かを点灯又は消灯して報知する。またＬＥＤ１６０は、プロセッサ１１０からの制御信号に応じて、無線ＬＡＮ通信を行っている状態であるか否かを点灯又は消灯して報知したりする。
【０１３１】
第２指示部の一例としてのスイッチ１７０は、コモントリガーボックス１００が無線通信（例えばＢＬＥ又は無線ＬＡＮを用いた無線通信）する相手の外部機器（例えばウェアラブルカメラ１０）を通信相手として登録して設定する（つまり、通信設定処理の際）際に操作される押しボタンスイッチである。スイッチ１７０が押下された旨の信号はプロセッサ１１０に入力される。
【０１３２】
次に、実施の形態２における第１のアプローチの概要及び動作手順について、図９Ｂ及び図１０を参照して説明する。図９Ｂは、実施の形態２におけるコモントリガーボックス１００の動作概要の一例を示す説明図である。図１０は、実施の形態２におけるウェアラブルカメラ１０とコモントリガーボックス１００との間のペアリングに関する動作手順の第１例を詳細に示すシーケンス図である。以下の第１のアプローチでは、無線通信の一例としてのＢＬＥ通信を例示し、ＢＬＥ通信を行うための通信設定処理（つまり、第２通信設定処理の一例としてのペアリング）を説明するが、無線ＬＡＮ通信を例示しても同様に適用可能である。
【０１３３】
図９Ｂでは、図９Ａと同様に、警察署ＰＤには複数台の警察車両７ａ，７ｂが駐車されているが、ここでは説明を分かり易くするために、例えば２ｍ（メートル）離れて駐車されているとする。警察車両７ａ，７ｂは例えば車幅が２ｍとする。但し、警察車両７ａ，７ｂの駐車間隔は駐車場の大きさに鑑みて２ｍの程度に限定されない事は言うまでもない。
【０１３４】
図９Ｂに示すように、ウェアラブルカメラ１０と警察車両７ａのコモントリガーボックス１００ａとにおいてそれぞれの通信設定用のボタンが押下された場合に、コモントリガーボックス１００ａは、一時的に通信部１３０における通信時の電力（パワー）を低下する。また、警察車両７ｂのコモントリガーボックス１００ｂにおいても、他の警察官が使用するウェアラブルカメラ１０との間で通信設定処理を行う際、その警察官によって通信設定用のボタンが押下されると、同様に、コモントリガーボックス１００ｂは、一時的に通信部１３０における通信時の電力（パワー）を低下する。これにより、コモントリガーボックス１００ａ，１００ｂは、それぞれの通信相手となるウェアラブルカメラ１０との間で通信設定処理（例えばペアリング）を行う時の一定期間のみ、無線通信圏内（通信可能範囲）を狭める事ができ、他の警察車両７ｂ，７ａのコモントリガーボックス１００ｂ，１００ａの無線通信圏内（通信可能範囲）との２次元面的な重複を回避できる。なお、ウェアラブルカメラ１０における通信設定用のボタンは無線登録スイッチＳＷ５であり、コモントリガーボックス１００ａ，１００ｂにおける通信設定用のボタンはスイッチ１７０である。
【０１３５】
コモントリガーボックス１００ａ，１００ｂの無線通信圏内７ａｄｓ２，７ｂｄｓ２は、コモントリガーボックス１００ａ，１００ｂによって一時的に狭められ、狭められる前の無線通信圏内７ａｄｓ１，７ｂｄｓ１に比べて狭い。コモントリガーボックス１００ａ，１００ｂの無線通信圏内７ａｄｓ２，７ｂｄｓ２は、それぞれ例えば２ｍ（メートル）であり、コモントリガーボックス１００ａ、１００ｂからのそれぞれの信号の通信（受信）可能範囲を示す。
【０１３６】
図１０において、警察官によってウェアラブルカメラ１０のペアリング用のボタン（つまり、無線登録スイッチＳＷ５）が押下され（Ｓ２１ａ）、更に、コモントリガーボックス１００のペアリング用のボタン（つまり、スイッチ１７０）が押下される（Ｓ２１ｂ）。コモントリガーボックス１００は、ステップＳ２１ｂのスイッチ１７０の押下を検知すると、一定期間（既定値）において、通信部１３０における通信時の電力（パワー）を低下する（Ｓ２２）。これにより、図９Ｂに示すように、コモントリガーボックス１００は、通信相手となるウェアラブルカメラ１０との間でペアリングを行う時の一定期間のみ、無線通信圏内（通信可能範囲）を狭める事ができる。
【０１３７】
各スイッチの押下により、ウェアラブルカメラ１０とコモントリガーボックス１００は、ともに暗号化された通信セッションを確立する。ウェアラブルカメラ１０は、その暗号化された通信セッションを介して、ペアリングの登録要求を生成してコモントリガーボックス１００に送信する（Ｓ２３）。コモントリガーボックス１００は、ステップＳ２３において送信された登録要求を受信すると、同様に暗号化された通信セッションを介して、ペアリングの登録要求を受領した旨の応答（ＡＣＫ：Acknowledgment）を返送する（Ｓ２３ａｃ）。以下、ウェアラブルカメラ１０とコモントリガーボックス１００とのペアリングにおける処理中は、この暗号化された通信セッションを介して情報の送受信がなされる。
【０１３８】
ウェアラブルカメラ１０は、自己の接続情報（ＢＷＣ情報）をコモントリガーボックス１００に送信する（Ｓ２４）。コモントリガーボックス１００は、ステップＳ２４において送信された接続情報（ＢＷＣ情報）を受信すると、その接続情報（例えば第２通信設定情報の一例としてのＢＷＣ情報）を受領した旨の応答（ＡＣＫ）を返送する（Ｓ２４ａｃ）。
【０１３９】
コモントリガーボックス１００は、自己の接続情報（ＣＴＢ情報）をウェアラブルカメラ１０に送信する（Ｓ２５）。ウェアラブルカメラ１０は、ステップＳ２５において送信された接続情報（ＣＴＢ情報）を受信すると、その接続情報（ＣＴＢ情報）を受領した旨の応答（ＡＣＫ）を返送する（Ｓ２５ａｃ）。これにより、ウェアラブルカメラ１０とコモントリガーボックス１００とは、互いに自己の接続情報を送受信して交換した事になる。
【０１４０】
ウェアラブルカメラ１０は、受信した接続情報（ＣＴＢ情報）を記憶部１５に登録して保存する（Ｓ２６）。コモントリガーボックス１００は、受信した接続情報（ＢＷＣ情報）をフラッシュメモリ１２２に登録して保存する（Ｓ２７）。これにより、ウェアラブルカメラ１０とコモントリガーボックス１００とは、ＢＬＥ通信を用いた無線通信を開始する事ができる（Ｓ２８）。
【０１４１】
次に、実施の形態２における第２のアプローチの概要及び動作手順について、図１１Ａ及び図１１Ｂを参照して説明する。図１１Ａは、実施の形態２におけるウェアラブルカメラ１０とコモントリガーボックス１００とが充電台２００を介して行うＬＡＮ通信の一例を示す図である。図１１Ｂは、実施の形態２におけるウェアラブルカメラ１０とコモントリガーボックス１００との間のペアリングに関する動作手順の第２例を詳細に示すシーケンス図である。
【０１４２】
図１１Ａに示すように、第２のアプローチでは、ウェアラブルカメラ１０は充電台２００に接続され、充電台２００とコモントリガーボックス１００とはＬＡＮケーブル（例えばストレートケーブル）によって接続される。言い換えると、ウェアラブルカメラ１０は、充電台２００に接続された時に、充電台２００を介してコモントリガーボックス１００とＬＡＮ通信が可能に接続される。
【０１４３】
図１１Ｂにおいて、警察官によってウェアラブルカメラ１０が充電台２００の所定の充電面に載置（挿入）される事で、ウェアラブルカメラ１０が充電台２００にセットされたとする（Ｓ２９）。ウェアラブルカメラ１０は、充電台２００に接続された事をコンタクトターミナル２３の出力から判別可能である。また、ウェアラブルカメラ１０は、充電台２００から供給された電流に基づいてバッテリ２５を充電し始めた際に、充電台２００に接続された事を判別してもよい。コモントリガーボックス１００は、ＬＡＮケーブル（例えばクロスケーブル）がＬＡＮコネクタ１４０に接続された事をＬＡＮインタフェース部１５０の出力から判別可能である。これにより、ウェアラブルカメラ１０とコモントリガーボックス１００とは、充電台２００を介して、相互に有線通信（例えばＬＡＮ通信）が可能に接続される（Ｓ３０）。ステップＳ３０以降の処理は図１０におけるステップＳ２２以降のそれぞれの処理と同一であるため、同一のステップ番号を付して説明を省略する。
【０１４４】
なお、ウェアラブルカメラ１０はＬＡＮ通信のインタフェース及びコネクタを有さないため、充電台２００を介してコモントリガーボックス１００とＬＡＮ通信が可能となるが、ＵＳＢインタフェース２２及びコンタクトターミナル２３を有するので、コモントリガーボックス１００との間でＵＳＢ通信を直接に行う事は可能である。この場合には、充電台２００は介さなくてもよい。
【０１４５】
また、有線通信の通信規格としてＲＳ２３２を用いると、ウェアラブルカメラ１０とコモントリガーボックス１００との間の最大通信速度は２０ｋｂｐｓ、最大配線長は１５ｍとなる。有線通信の通信規格としてＲＳ４２３を用いると、ウェアラブルカメラ１０とコモントリガーボックス１００との間の最大通信速度は３００ｋｂｐｓ、最大配線長は６００ｍとなる。有線通信の通信規格としてＥｔｈｅｒｎｅｔ（登録商標）を用いると、ウェアラブルカメラ１０とコモントリガーボックス１００との間の最大通信速度は１００Ｍｂｐｓ、最大配線長は１００ｍとなる。また、有線通信の通信規格としてＵＳＢ２．０を用いると、ウェアラブルカメラ１０とコモントリガーボックス１００との間の最大通信速度は４８０Ｍｂｐｓ、最大配線長は５ｍとなる。有線通信の通信規格としてＵＳＢ３．０を用いると、ウェアラブルカメラ１０とコモントリガーボックス１００との間の最大通信速度は４Ｇｂｐｓ、最大配線長は３ｍとなる。
【０１４６】
以上により、実施の形態２の第１のアプローチの通信システム１０００では、ウェアラブルカメラ１０は、通信設定処理（例えばペアリング）の開始を指示する無線登録スイッチＳＷ５を更に有し、無線登録スイッチＳＷ５に対する押下操作に応じて、コモントリガーボックス１００との間で通信設定処理（例えばペアリング）を開始する。コモントリガーボックス１００は、通信設定処理（例えばペアリング）の開始を指示するスイッチ１７０を更に有し、スイッチ１７０に対する押下操作に応じて、第２通信設定部の一例としてのプロセッサ１１０において無線通信圏内（通信可能圏内）を狭めてウェアラブルカメラ１０との間で通信設定処理（例えばペアリング）を開始する。
【０１４７】
これにより、警察官は、ウェアラブルカメラ１０の無線登録スイッチＳＷ５及びコモントリガーボックス１００のスイッチ１７０をそれぞれ押下するという簡単な操作によって、適切な（具体的には、自己が乗車予定の）警察車両７のコモントリガーボックス１００との間で的確に通信設定処理（例えばペアリング）を行う事ができる。言い換えると、ウェアラブルカメラ１０は、警察官が乗車しない他の警察車両のコモントリガーボックスとの間での通信設定処理の実行を確実に回避する事ができる。
【０１４８】
また、実施の形態２の第２のアプローチの通信システム１０００では、ウェアラブルカメラ１０は、コモントリガーボックス１００と有線（例えばＬＡＮケーブル）で接続されかつウェアラブルカメラ１０を充電する充電台２００に接続された場合に、充電台２００を介して、有線通信（ＬＡＮ通信）によってコモントリガーボックス１００との間で通信設定処理（例えばペアリング）を開始する。コモントリガーボックス１００は、ウェアラブルカメラ１０が充電台２００に接続された場合に、充電台２００を介して、有線通信（ＬＡＮ通信）によってウェアラブルカメラ１０との間で通信設定処理（例えばペアリング）を開始する。
【０１４９】
これにより、警察官は、ウェアラブルカメラ１０を充電台２００にセットするという簡単な操作によって、適切な（具体的には、自己が乗車予定の）警察車両７のコモントリガーボックス１００との間で的確に通信設定処理（例えばペアリング）を行う事ができる。言い換えると、ウェアラブルカメラ１０は、警察官が乗車しない他の警察車両のコモントリガーボックスとの間での通信設定処理の実行を確実に回避する事ができる。
【０１５０】
（実施の形態３に至る経緯）
実施の形態２の第１のアプローチでも説明したように、ウェアラブルカメラ１０と警察車両７のコモントリガーボックス１００との間の通信設定処理（例えばペアリング）を開始するためには、警察官は、コモントリガーボックス１００のスイッチ１７０を押す必要がある。上述したように、コモントリガーボックス１００は、その大きさや警察車両７内に配備された各種機器の設置位置等の制約により、トランクルーム内に配備される。従って、警察官は、トランクを開けてからコモントリガーボックス１００のスイッチ１７０を押下するという作業が必要であった。
【０１５１】
（実施の形態３）
そこで実施の形態３では、実施の形態２の変形例として、警察官がわざわざ警察車両７のトランクを開けてコモントリガーボックス１００のスイッチ１７０を押下せずとも、ウェアラブルカメラ１０が充電台２００に接続された事を検知できるコモントリガーボックス１００並びに通信システム１０００の例を説明する。
【０１５２】
図１２は、実施の形態３におけるコモントリガーボックス１００の動作概要の一例を示す説明図である。図１２では、ＬＡＮケーブル（図１２紙面中央、例えばストレートケーブル）の第７番目（白茶）の端子（つまり、信号（ＳＩＧ）端子）、第８番目（茶）の端子（つまり、グランド（ＧＮＤ）端子）が、ＬＡＮケーブルの接続の有無の状況を示す端子として示されている。なお、第４番目（青）の端子と第５番目（白青）の端子とは電源供給の状況を示す端子である。ＬＡＮケーブルは、ウェアラブルカメラ１０が載置（挿入）される充電台２００とコモントリガーボックス１００との間を接続する。
【０１５３】
上述したように、コモントリガーボックス１００のＬＡＮインタフェース部１５０（図８参照）は、ＬＡＮケーブル（例えばクロスケーブル）の信号（ＳＩＧ）端子の出力が入力されるＧＰＩＯ１５１（図１２参照、つまり、パラレルインタフェース）を有する。例えば警察官がウェアラブルカメラ１０を充電台２００に刺す（つまり、ウェアラブルカメラ１０が充電台２００にセットされる）と、充電台２００側のＬＡＮケーブルの第７番目の信号（ＳＩＧ）端子と第８番目のグランド（ＧＮＤ）端子とがショートして結線される。このショートにより、ＧＰＩＯ１５１は、コモントリガーボックス１００側のＬＡＮケーブルの第７番目の信号（ＳＩＧ）端子の出力として、０（ゼロ）を検知する。なお、充電台２００側のＬＡＮケーブルの第７番目の信号（ＳＩＧ）端子と第８番目のグランド（ＧＮＤ）端子とのショートが起きる前は、ＧＰＩＯ１５１は、電源電圧ＶＣＣを検知する。これにより、コモントリガーボックス１００のプロセッサ１１０は、ＧＰＩＯ１５１の出力が電源電圧ＶＣＣであるか又は０（ゼロ）であるかに応じて、ウェアラブルカメラ１０が充電台２００に接続されたか否かを適切に判別可能となる。
【０１５４】
次に、実施の形態３におけるウェアラブルカメラ１０とコモントリガーボックス１００との通信設定処理（例えばペアリング）の動作手順について、図１３を参照して説明する図１３は、実施の形態３におけるウェアラブルカメラ１０とコモントリガーボックス１００との間のペアリングに関する動作手順の一例を詳細に示すシーケンス図である。なお、図１３の処理の中で、図１０又は図１１Ｂの処理と同一の処理については同一のステップ番号を付与し、説明を省略する。
【０１５５】
図１３において、警察官によってウェアラブルカメラ１０のペアリング用のボタン（つまり、無線登録スイッチＳＷ５）が押下されると（Ｓ２１ａ）、ウェアラブルカメラ１０は、登録モード（つまり、コモントリガーボックス１００との通信設定処理（例えばペアリング）を実行するための動作モード）に移行するとともに、タイマ（不図示）の計測を開始する（Ｓ２１１）。このタイマは、ウェアラブルカメラ１０における登録モード期間の開始時点から終了時点まで計測するために使用される。
【０１５６】
ステップＳ２１１の後、ウェアラブルカメラ１０は充電台２００にセットされたとする（Ｓ２９）。ウェアラブルカメラ１０は、ステップＳ２１１においてタイマの計測を開始してから所定時間（例えば５秒）が経過した後（Ｓ２１２）、コモントリガーボックス１００においてウェアラブルカメラ１０の充電台２００へのセットが検知できたとして、ステップＳ２３の処理を行う。
【０１５７】
一方、コモントリガーボックス１００は、ＧＰＩＯ１５１の出力を基に、ウェアラブルカメラ１０が充電台２００にセットされた事を検知すると、ウェアラブルカメラ１０と同様に、登録モード（つまり、ウェアラブルカメラ１０との通信設定処理（例えばペアリング）を実行するための動作モード）に移行する（Ｓ２２１）。更に、コモントリガーボックス１００は、タイマ（不図示）の計測を開始する（Ｓ２２２）。このタイマは、例えばプロセッサ１１０に内蔵され、コモントリガーボックス１００における登録モード期間の開始時点から終了時点まで計測するために使用される。なお、図１３に示すように、ウェアラブルカメラ１０の登録モード期間は、コモントリガーボックス１００の登録モード期間よりも長い。これは、ウェアラブルカメラ１０は、ウェアラブルカメラ１０が充電台２００にセットされた事をコモントリガーボックス１００が検知するために一定時間が必要であり、その一定時間（例えば５秒）を考慮して長めに設定されたものである。コモントリガーボックス１００は、ステップＳ２２２の後、ウェアラブルカメラ１０から送信されてくる登録要求の受信を待機する。
【０１５８】
ステップＳ２３〜ステップＳ２７において、ウェアラブルカメラ１０とコモントリガーボックス１００との間の通信設定処理（例えばペアリング）が行われる。ステップＳ２６の後、ウェアラブルカメラ１０は、タイマの計測が終了したとして、登録モードを解除する（Ｓ３０ａ）。同様に、コモントリガーボックス１００は、タイマの計測が終了したとして、登録モードを解除する（Ｓ３０ｂ）。これにより、ウェアラブルカメラ１０とコモントリガーボックス１００とは、ＢＬＥ通信を用いた無線通信を開始する事ができる（Ｓ２８）。
【０１５９】
以上により、実施の形態３の通信システム１０００では、ウェアラブルカメラ１０は、コモントリガーボックス１００と有線（例えばＬＡＮケーブル）で接続されかつウェアラブルカメラ１０を充電する充電台２００に接続された場合に、充電台２００を介して、有線通信（ＬＡＮ通信）によってコモントリガーボックス１００との間で通信設定処理（例えばペアリング）を開始する。コモントリガーボックス１００は、ウェアラブルカメラ１０が充電台２００に接続された事を検知し、充電台２００を介して、有線通信（ＬＡＮ通信）によってウェアラブルカメラ１０との間で通信設定処理（例えばペアリング）を開始する。
【０１６０】
これにより、警察官は、わざわざ警察車両７のトランクを開けてコモントリガーボックス１００のスイッチ１７０を押下せずとも、ウェアラブルカメラ１０を充電台２００にセットするという簡単な操作によって、ウェアラブルカメラ１０とコモントリガーボックス１００との間で充電台２００を介して無線通信の通信設定処理（例えばペアリング）を実行できる。つまり、ウェアラブルカメラ１０とコモントリガーボックス１００との間の通信設定処理（例えばペアリング）の警察官の手間を相当に軽減できる。また、コモントリガーボックス１００は、ウェアラブルカメラ１０が充電台２００にセットされている事を検知できるので、通信設定処理を行う事ができるとともに、充電台２００を介してウェアラブルカメラ１０のバッテリ２５を充電させる事もできる。
【０１６１】
また、ウェアラブルカメラ１０は、通信設定処理（例えばペアリング）の開始を指示する無線登録スイッチＳＷ５を更に有し、無線登録スイッチＳＷ５に対する押下操作の実行から所定時間（例えば５秒）の経過後、有線通信（ＬＡＮ通信）によってコモントリガーボックス１００との間で通信設定処理（例えばペアリング）を開始する。
【０１６２】
これにより、ウェアラブルカメラ１０は、ウェアラブルカメラ１０が充電台２００にセットされた事をコモントリガーボックス１００が検知するための一定時間の経過後に、通信設定処理（例えばペアリング）を開始できるので、コモントリガーボックス１００との間で無駄なくスムーズに通信設定処理を開始できる。
【０１６３】
（実施の形態４に至る経緯）
ウェアラブルカメラは、警察官の業務中（例えば、パトロール中又は事件現場に急行して事件現場で種々の対応を行っている時）には撮像を継続している事が多い。このため、ウェアラブルカメラのバッテリの容量消費は大きく、警察官が日常的に使用するウェアラブルカメラのバッテリの充電は緊喫の課題である。ウェアラブルカメラの充電には例えば次に示す２つの方法が考えられる。第１の充電方法は、警察車両に搭載されている充電用のシガーチャーヂャ（不図示）をウェアラブルカメラに接続する方法である。第２の充電方法は、ウェアラブルカメラの撮像映像に属性情報を付与するための編集用の車載ＰＣとウェアラブルカメラとをＵＳＢケーブルで接続する方法である。
【０１６４】
第１の充電方法によれば、シガーチャーヂャから大容量（例えば２Ａ（アンペア））の電流が供給されるのでウェアラブルカメラの高速な充電が可能である。しかし、第１の充電方法では、警察官はウェアラブルカメラの充電中に、ウェアラブルカメラの撮像映像のデータに対する属性情報を付与する等の編集処理を行う事ができないという課題がある。
【０１６５】
一方、第２の充電方法では、車載ＰＣのＵＳＢ２．０のポートから供給される電流が最大５００ｍＡ（ミリアンペア）であるため、シガーチャーヂャを用いた充電に比べて、充電完了までに時間がかかり過ぎるという課題がある。
【０１６６】
また、ウェラブルカメラを車載ＰＣに接続して大電流を取り出そうとした場合、車載ＰＣ内の安全回路が作動し、ウェアラブルカメラの充電ができないのはもちろん、ＵＳＢ通信もできなくなるという課題がある。そのため、ウェアラブルカメラを車載ＰＣに接続した場合は最大５００ｍＡ（ミリアンペア）しか電流を取り出さないように設計するのが通常である。
【０１６７】
（実施の形態４）
そこで実施の形態４では、外部バッテリ（例えば上述したシガーチャーヂャ、ＡＣＣ（アクセサリ））からの電流が供給されてウェアラブルカメラ１０を充電中である状態を示し、更に、車載ＰＣのＵＳＢポートとウェアラブルカメラ１０とが接続されて、ウェアラブルカメラ１０の撮像映像のデータに対する各種の編集処理が可能な車載ＰＣ３２とウェアラブルカメラ１０とが接続中である状態を示す充電台２００並びに通信システム１０００の例を説明する。
【０１６８】
図１４は、実施の形態４における充電台２００の内部構成の一例を詳細に示すブロック図である。図１４に示す充電台２００は、電源スイッチ制御部２１０と、ＵＳＢスイッチ制御部２２０と、ＵＳＢ／ＬＡＮ信号変換部２３０と、スイッチ２４０と、コネクタ２５０，２５１，２５２，２５３と、ＬＥＤ２６０，２７０とを含む構成である。ＬＥＤ２６０，２７０は、充電台２００の筐体（不図示）の上側の側面に、鉛直上方向に向かって露出するように配置される。従って、充電台２００は例えば警察車両７の既定位置（例えばセンターコンソールの付近）に配置された場合に、警察官は、センターコンソールの下をチラッと見るだけで充電台２００のＬＥＤ２６０，２７０の状態を瞬時に確認できる。
【０１６９】
電源制御部の一例としての電源スイッチ制御部２１０は、コネクタ２５０に接続されたケーブル（不図示）に繋がれた外部バッテリ（例えばシガーチャーヂャ、又はＡＣＣ）からの供給電流（例えば２Ａ（アンペア））のみが供給されている場合は、それに応じて、コネクタ２５０から供給される電流がコネクタ２５３を介して供給され、接続されたウェアラブルカメラ１０を充電する。ウェアラブルカメラ１０は、電源スイッチ制御部２１０からの供給電流（つまり、外部バッテリからの供給電流）に基づいて、バッテリ２５を充電する。
【０１７０】
電源スイッチ制御部２１０は、コネクタ２５１に接続されたＬＡＮケーブル（例えばストレートケーブル）に繋がれたコモントリガーボックス１００からの供給電流（例えば２Ａ（アンペア））のみが供給されている場合は、それに応じて、コネクタ２５１から供給される電流がコネクタ２５３を介して供給され、接続されたウェアラブルカメラ１０を充電する。ウェアラブルカメラ１０は、電源スイッチ制御部２１０からの供給電流（つまり、コモントリガーボックス１００からの供給電流）に基づいて、バッテリ２５を充電する。
【０１７１】
電源スイッチ制御部２１０は、コネクタ２５２に接続されたＵＳＢケーブル（例えばＵＳＢ２．０ケーブル）に繋がれた車載ＰＣ３２からの供給電流（例えば５００ｍＡ（アンペア））のみが供給されている場合は、それに応じて、コネクタ２５２から供給される電流がコネクタ２５３を介して供給され、接続されたウェアラブルカメラ１０を充電する。ウェアラブルカメラ１０は、電源スイッチ制御部２１０からの供給電流（つまり、車載ＰＣ３２からの供給電流）に基づいて、バッテリ２５を充電する。
【０１７２】
電源スイッチ制御部２１０は、コネクタ２５０に接続されたケーブル（不図示）に繋がれた外部バッテリ（例えばシガーチャーヂャ、又はＡＣＣ）からの供給電流、又はコネクタ２５１に接続されたＬＡＮケーブルに繋がれたコモントリガーボックス１００からの供給電流を優先して、コネクタ２５３を介して接続されたウェアラブルカメラ１０を充電する。言い換えると、充電台２００に外部バッテリ又はコモントリガーボックス１００と車載ＰＣ３２との両方が接続されている場合には、充電台２００は、外部バッテリ又はコモントリガーボックス１００からの供給電流を優先してウェアラブルカメラ１０を充電する。これにより、充電台２００は、ウェアラブルカメラ１０を高速に充電可能となる。なお、充電台２００は、外部バッテリやコモントリガーボックス１００の接続が検知されておらず、車載ＰＣ３２の接続のみが検知されている場合には、車載ＰＣ３２からの供給電流に基づいて、ウェアラブルカメラ１０を充電する。
【０１７３】
また、電源スイッチ制御部２１０は、コネクタ２５０を介して外部バッテリ（例えばシガーチャーヂャ、又はＡＣＣ）、又はコネクタ２５１を介してコモントリガーボックス１００から供給電流を受けている場合には、ウェアラブルカメラ１０の充電用電源（例えばシガーチャーヂャ、ＡＣＣ、コモントリガーボックス１００）からの電流供給により充電が可能である（言い換えると、充電中である）事を警察官に報知するためにＬＥＤ２６０を点灯させる。
【０１７４】
データ制御部の一例としてのＵＳＢスイッチ制御部２２０は、セレクタ２２１を有する。ＵＳＢスイッチ制御部２２０は、ウェアラブルカメラ１０が充電台２００にセットされた事を、コネクタ２５３を介して検知する。ＵＳＢスイッチ制御部２２０は、ウェアラブルカメラ１０が充電台２００にセットされた事を検知した場合には、スイッチ２４０の状態（つまり、ＬＡＮ通信又はＵＳＢ通信のいずれか）に応じて、ウェアラブルカメラ１０から伝送されてくる各種のデータ（例えばパトロール中又は事件現場での撮像映像のデータ）を、セレクタ２２１の選択に合わせてＵＳＢ／ＬＡＮ信号変換部２３０又はコネクタ２５２のいずれかに出力する。
【０１７５】
また、ＵＳＢスイッチ制御部２２０は、ウェアラブルカメラ１０が充電台２００にセットされた事を検知した場合には、車載ＰＣ３２とデータ通信が可能である事を警察官に報知するためにＬＥＤ２７０を点灯させる。
【０１７６】
ＵＳＢ／ＬＡＮ信号変換部２３０は、車載ＰＣ３２から伝送された各種のデータの形式をＵＳＢ通信用の形式からＬＡＮ通信用の形式に変換してコネクタ２５１に出力する。
【０１７７】
スイッチ２４０は、例えば押しボタンスイッチであり、ＵＳＢ通信（例えば車載ＰＣ３２との通信）、又はＬＡＮ通信（例えばコモントリガーボックス１００との通信）の切り替えのために設けられている。スイッチ２４０は、警察官の選択操作によって、ＵＳＢ通信の用途又はＬＡＮ通信の用途のいずれかを示し、いずれのかの用途に応じた信号をＵＳＢスイッチ制御部２２０に出力する。
【０１７８】
第１接続検知部の一例としてのコネクタ２５０は、外部バッテリ（例えばシガーチャーヂャ、又はＡＣＣ）との接続を検知する。コネクタ２５０は、コネクタ２５０に接続されたケーブル（不図示）に繋がれた外部バッテリ（例えばシガーチャーヂャ、又はＡＣＣ）からの供給電流（例えば最大２Ａ）を受ける。この供給電流は、電源スイッチ制御部２１０に入力される。
【０１７９】
第１接続検知部の一例としてのコネクタ２５１は、コモントリガーボックス１００との接続を検知する。コネクタ２５１は、コネクタ２５１に接続されたＬＡＮケーブル（例えばクロスケーブル）に繋がれたコモントリガーボックス１００からの供給電流（例えば最大２Ａ）を受ける。この供給電流は、電源スイッチ制御部２１０に入力される。
【０１８０】
第２接続検知部の一例としてのコネクタ２５２は、ウェアラブルカメラ１０のデータを編集可能な車載ＰＣ３２との接続を検知する。コネクタ２５２は、コネクタ２５２に接続されたＵＳＢケーブル（例えばＵＳＢ２．０ケーブル）に繋がれた車載ＰＣ３２からの供給電流（例えば最大５００ｍＡ）を受ける。この供給電流は、電源スイッチ制御部２１０に入力される。
【０１８１】
コネクタ２５３は、ウェアラブルカメラ１０が充電台２００にセットされた事を検知する。この検知信号はＵＳＢスイッチ制御部２２０に入力される。
【０１８２】
第１報知部の一例としてのＬＥＤ２６０は、ウェアラブルカメラ１０の充電用電源（例えばシガーチャーヂャ、ＡＣＣ、コモントリガーボックス１００）からの電流供給により高速充電が可能である（ウェアラブルカメラ１０が挿入されている場合は、高速充電中である）事を警察官に報知するために、電源スイッチ制御部２１０からの制御信号に応じて点灯する。
【０１８３】
第２報知部の一例としてのＬＥＤ２７０は、ウェアラブルカメラ１０が充電台２００にセットされた事によってウェアラブルカメラ１０と車載ＰＣ３２との間でデータ通信が可能である事を警察官に報知するために、ＵＳＢスイッチ制御部２２０からの制御信号に応じて点灯する。ＬＥＤ２７０の点灯条件は、スイッチ２４０がＰＣを選択している事である。また、ＬＥＤ２７０の点灯条件は、コネクタ２５２を介して車載ＰＣ３２からのＵＳＢ信号（つまり、車載ＰＣ３２のＵＳＢポートから送られた、ＵＳＢ通信を利用する旨の信号）をＵＳＢスイッチ制御部２２０が検出している事を条件に追加しても良い。更に、ＬＥＤ２７０の点灯条件は、車載ＰＣ３２からのＵＳＢ信号（上述参照）を検出する代わりに、車載ＰＣ３２からの電源（言い換えると、供給電流）がコネクタ２５２を介して電源スイッチ制御部２１０に供給されていることを充電台２００が検出している事を条件としてもよい。上述したこれらのＬＥＤ２７０の点灯条件は、いずれか一つ又は複数の条件を組み合わせる事でも、同一の効果を得ることが可能である。
【０１８４】
次に、実施の形態４における充電台２００の動作手順について、図１５及び図１６を参照して説明する。図１５は、実施の形態４における充電台２００の動作手順の一例を詳細に示すフローチャートである。図１６は、図１５に示す充電台２００の動作手順の一例を示すテーブルである。
【０１８５】
図１５において、充電台２００は、図１４又は図１６に示す「（１）のＰｏｗｅｒ  ｉｎｐｕｔ」（つまり、外部バッテリ又はコモントリガーボックス１００からの電流供給）があるか否かを判断する（Ｓ３１）。充電台２００は、「（１）のＰｏｗｅｒ  ｉｎｐｕｔ」があると判断した場合には（Ｓ３１、ＹＥＳ）、「（２）のＰｏｗｅｒ  ｉｎｐｕｔ」の有無に関係なく、「（１）のＰｏｗｅｒ  ｉｎｐｕｔ」（つまり、外部バッテリ又はコモントリガーボックス１００からの電流供給）を優先して、ウェアラブルカメラ１０を充電し（Ｓ３２）、ＬＥＤ１に対応するＬＥＤ２６０を点灯する（Ｓ３３）。「（１）のＰｏｗｅｒ  ｉｎｐｕｔ」がないと判断された場合（Ｓ３１、ＮＯ）、充電台２００の処理はステップＳ３４へ進む。
【０１８６】
つまり、充電台２００は、「（２）のＰｏｗｅｒ  ｉｎｐｕｔ」（つまり、車載ＰＣ３２のＵＳＢポートからの電流供給）があるか否かを判断する（Ｓ３４）。充電台２００は、「（２）のＰｏｗｅｒ  ｉｎｐｕｔ」（つまり、車載ＰＣ３２のＵＳＢポートからの電流供給）があると判断した場合（Ｓ３４、ＹＥＳ）は、ウェアラブルカメラ１０に対して「（２）のＰｏｗｅｒ  ｉｎｐｕｔ」を供給する（Ｓ３５）。しかし、車載ＰＣ３２から供給される電流値がウェアラブルカメラ１０の高速充電に不十分なため、充電台２００は、ＬＥＤ１に対応するＬＥＤ２６０を点灯しない（Ｓ３６）。一方、「（２）のＰｏｗｅｒ  ｉｎｐｕｔ」がないと判断された場合（Ｓ３４、ＮＯ）は、充電台２００は、ウェアラブルカメラ１０へは電流を供給せず（Ｓ３７）、ＬＥＤ１に対応するＬＥＤ２６０も点灯しない（Ｓ３８）。
【０１８７】
また、充電台２００は、ＬＥＤ２に対応するＬＥＤ２７０の点灯判断について、図１４のスイッチ２４０がＬＡＮとなっているかどうかを判断する（Ｓ３９）。充電台２００は、スイッチ２４０がＬＡＮとなっている場合（Ｓ３９、ＹＥＳ）は、ウェアラブルカメラ１０はコモントリガーボックス１００と接続し、車載ＰＣ３２と接続できないため、ＬＥＤ２に対応するＬＥＤ２７０を点灯しない（Ｓ４０）。
【０１８８】
図１４のスイッチ２４０がＬＡＮとなっていない場合（つまり、ＰＣとなっている）と判断された場合（Ｓ３９、ＮＯ）は、充電台２００は、「（２）のＰｏｗｅｒ  ｉｎｐｕｔ」があるか否かを判断する（Ｓ４１）。「（２）のＰｏｗｅｒ  ｉｎｐｕｔ」がない場合（Ｓ４１、ＮＯ）は、充電台２００は、ＬＥＤ２に対応するＬＥＤ２７０を点灯しない（Ｓ４２）。一方、充電台２００は、「（２）のＰｏｗｅｒ  ｉｎｐｕｔ」があると判断した場合（Ｓ４１、ＹＥＳ）は、ＬＥＤ２に対応するＬＥＤ２７０を点灯する（Ｓ４３）。なお、ステップＳ４１の処理は省略されても良い。
【０１８９】
以上により、実施の形態４の通信システム１０００では、充電台２００は、外部バッテリ（例えばシガーチャーヂャ、ＡＣＣ）又はコモントリガーボックス１００との接続が検知された場合に、外部バッテリ又はコモントリガーボックス１００からの供給電流（第１供給電流）に基づいてウェアラブルカメラ１０を充電し、更に、この供給電流に基づいてウェアラブルカメラ１０を充電中である旨をＬＥＤ２６０の点灯によって警察官に報知する。また、充電台２００は、車載ＰＣ３２との接続が検知された場合に、ウェアラブルカメラ１０と車載ＰＣ３２とがデータ通信可能に接続されている事（言い換えると、ウェアラブルカメラ１０のデータを車載ＰＣ３２において編集可能である旨）をＬＥＤ２７０の点灯によって警察官に報知する。
【０１９０】
これにより、充電台２００は、外部バッテリ又はコモントリガーボックス１００の様な大容量の電源（電流）が充電台２００に供給されている時に限って、ＬＥＤ２６０を点灯させる事で、ウェアラブルカメラ１０を充電可能であるかどうかを警察官に的確に判断させる事ができる。また、充電台２００は、車載ＰＣ３２との接続が検知された時に限ってＬＥＤ２７０を点灯させる事で、ウェアラブルカメラ１０と車載ＰＣ３２とが相互に通信可能である状態を警察官に明確に把握させる事ができる。
【０１９１】
また、充電台２００は、外部バッテリ（例えばシガーチャーヂャ、又はＡＣＣ）又はコモントリガーボックス１００との接続、並びに車載ＰＣ３２との接続がいずれも検知された場合でも、外部バッテリ又はコモントリガーボックス１００からの供給電流を優先してウェアラブルカメラ１０を充電する。これにより、充電台２００は、大容量の充電用の電流の供給が受けられる外部バッテリ又はコモントリガーボックス１００からの充電用の電流に基づいてウェアラブルカメラ１０を充電できるので、高速な充電が可能となる。
【０１９２】
以上、図面を参照しながら各種の実施形態について説明したが、本発明はかかる例に限定されない事は言うまでもない。当業者であれば、特許請求の範囲に記載された範疇内において、各種の変更例又は修正例に想到し得る事は明らかであり、それらについても当然に本発明の技術的範囲に属するものと了解される。また、発明の趣旨を逸脱しない範囲において、上記実施形態における各構成要素を任意に組み合わせてもよい。
【産業上の利用可能性】
【０１９３】
本発明は、ユーザが乗車する車両毎に搭載される車載通信装置との間の無線通信の設定の周期的な実行を支援し、たとえユーザが乗車する車両を乗り換える場合でも、ユーザが乗車する予定の車両内の車載通信装置との間で無線通信の設定を可能とし、ユーザの業務を効率的に支援するウェアラブルカメラ及び通信システムとして有用である。
【０１９４】
本発明は、外部バッテリからの電流が供給されてウェアラブルカメラを充電中である状態を示し、ウェアラブルカメラの撮像映像のデータに対する各種の編集処理が可能な車載ＰＣとウェアラブルカメラとが接続中である状態を示す充電台及び通信システムとして有用である。
【符号の説明】
【０１９５】
３  警察官
１０  ウェアラブルカメラ（ＢＷＣ）
３０  車載カメラシステム
３１  車載カメラ
３２  車載ＰＣ
３３  車載レコーダ
４０  スマートフォン
４５  無線ＬＡＮアクセスポイント
５０  バックエンドサーバ（ＢＥＳ）
６０  バックエンドストリーミングサーバ（ＢＳＳ）
７０ａ、７０ｂ  バックエンドクライアント（ＢＥＣ）
１００  コモントリガーボックス（ＣＴＢ）
１７０、２４０  スイッチ
２００  充電台（充電装置）
１０００  通信システム
ＳＷ５  無線登録スイッチ
【図１】
2018101900.tif 000003
【図２】
2018101900.tif 000004
【図３】
2018101900.tif 000005
【図４】
2018101900.tif 000006
【図５】
2018101900.tif 000007
【図６】
2018101900.tif 000008
【図７Ａ】
2018101900.tif 000009
【図７Ｂ】
2018101900.tif 000010
【図７Ｃ】
2018101900.tif 000011
【図７Ｄ】
2018101900.tif 000012
【図７Ｅ】
2018101900.tif 000013
【図８】
2018101900.tif 000014
【図９Ａ】
2018101900.tif 000015
【図９Ｂ】
2018101900.tif 000016
【図１０】
2018101900.tif 000017
【図１１Ａ】
2018101900.tif 000018
【図１１Ｂ】
2018101900.tif 000019
【図１２】
2018101900.tif 000020
【図１３】
2018101900.tif 000021
【図１４】
2018101900.tif 000022
【図１５】
2018101900.tif 000023
【図１６】
2018101900.tif 000024